(57)【要約】【課題】視差バリア等の映像分離手段を用いて、複数の観賞者それぞれに対して異なる表示態様の映像を観賞させることが可能な表示装置を提供する。【解決手段】表示装置１は、表示部６０に表示される視差映像を複数の視線方向に分離して表示させる視差バリアと、視差バリアによって分離された各視線方向に向けて表示される視差映像を、視線方向毎に表示制御し、液晶シャッターメガネ７０を介した立体映像の観賞を可能にする表示制御部１０と、を備える。これにより、表示装置１は、左右の目の視認可否を切り替える液晶シャッターメガネ７０を介して観賞者に立体映像を観賞させるときに、視差バリアを用いて、複数の観賞者それぞれに対して異なる表示態様の映像を観賞させることができる。【選択図】図１
2012039443.tif 000002
【特許請求の範囲】
【請求項１】
観賞者の左右の目の視差を利用した視差映像を表示し、左右の目の視認可否を切り替える視認切替機構を介して観賞者に立体映像を観賞させる表示装置であって、
表示部に表示される視差映像を複数の視線方向に分離して表示させる視線方向分離部と、
上記視線方向分離部によって分離された各視線方向に向けて表示される視差映像を、視線方向毎に表示制御し、上記視認切替機構を介した立体映像の観賞を可能にする表示制御手段と、を備えることを特徴とする表示装置。
【請求項２】
上記表示部は、複数の画素を有しており、
上記表示制御手段は、上記複数の視線方向のうち、同一の視線方向に対応付けられた画素群ごとに、その画素群に表示される視差映像を表示制御することを特徴とする請求項１に記載の表示装置。
【請求項３】
上記表示制御手段は、上記画素群のうち、第１の視線方向に対応付けられた画素群では、視差映像である右目用映像および左目用映像を交互に表示させ、上記第１の視線方向とは異なる第２の視線方向に対応付けられた画素群では、上記右目用映像または上記左目用映像を表示させることを特徴とする請求項２に記載の表示装置。
【請求項４】
上記表示制御手段は、
上記画素群のうち、上記右目用映像および上記左目用映像が交互に表示される画素群である３次元画素群、及び上記右目用映像または上記左目用映像が表示される画素群である２次元画素群をそれぞれ決定する画素群決定手段と、
上記右目用映像および上記左目用映像を上記３次元画素群に表示させ、上記右目用映像または上記左目用映像を上記２次元画素群に表示させる画素群表示制御手段と、
を備えることを特徴とする請求項３に記載の表示装置。
【請求項５】
上記３次元画素群の輝度を、上記視線方向分離部を用いることなく上記右目用映像および上記左目用映像を表示するときの当該３次元画素群の輝度よりも高くする第１輝度制御手段を備えることを特徴とする請求項４に記載の表示装置。
【請求項６】
上記第１輝度制御手段は、自装置のバックライトの輝度を高くすることを特徴とする請求項５に記載の表示装置。
【請求項７】
上記２次元画素群における光の透過率を、上記視線方向分離部を用いることなく上記右目用映像または上記左目用映像を当該２次元画素群に表示するときの光量と略等しくなるように低下させる光透過率制御手段を備えることを特徴とする請求項５または６に記載の表示装置。
【請求項８】
上記画素群表示制御手段は、上記２次元画素群に表示される上記右目用映像または上記左目用映像に、当該右目用映像または当該左目用映像よりも輝度の低い低輝度映像を挿入して上記２次元画素群に表示させることを特徴とする請求項５から７の何れか１項に記載の表示装置。
【請求項９】
上記第１輝度制御手段は、上記３次元画素群の輝度を高くすることを特徴とする請求項５に記載の表示装置。
【請求項１０】
上記２次元画素群の輝度を、上記視線方向分離部を用いることなく上記右目用映像または上記左目用映像を当該２次元画素群に表示するときの光量と略等しくなるように低下させる第２輝度制御手段を備えることを特徴とする請求項５から９の何れか１項に記載の表示装置。
【請求項１１】
上記視認切替機構が、右目用液晶シャッターおよび左目用液晶シャッターを有する液晶シャッターメガネであるときに、
上記画素群表示制御手段が上記３次元画素群に上記右目用映像を表示させる表示タイミングと、上記右目用液晶シャッターを開、上記左目用液晶シャッターを閉とするシャッター開閉タイミングとを同期させ、かつ、上記画素群表示制御手段が上記３次元画素群に上記左目用映像を表示させる表示タイミングと、上記右目用液晶シャッターを閉、上記左目用液晶シャッターを開とするシャッター開閉タイミングとを同期させる同期制御手段を備えることを特徴とする請求項４〜９の何れか１項に記載の表示装置。
【請求項１２】
上記画素群決定手段は、操作部を介した上記観賞者による入力操作に基づき、上記３次元画素群および上記２次元画素群を決定することを特徴とする請求項４〜１０の何れか１項に記載の表示装置。
【請求項１３】
上記視線方向分離部は、上記表示部に対して着脱可能に設けられていることを特徴とする請求項１〜１１の何れか１項に記載の表示装置。
【請求項１４】
観賞者の左右の目の視差を利用した視差映像を表示し、左右の目の視認可否を切り替える視認切替機構を介して観賞者に立体映像を観賞させる表示制御方法であって、
表示装置に設けられた表示部に表示される視差映像を、当該表示装置に設けられた視線方向分離部により複数の視線方向に分離して表示し、
上記視線方向分離部によって分離された各視線方向に向けて表示される視差映像を、視線方向毎に表示制御することで、上記視認切替機構を介した立体映像の観賞を可能にすることを特徴とする表示制御方法。
【請求項１５】
請求項１４に記載の表示制御方法における、視差映像を視線方向毎に表示制御する処理を、コンピュータに実行させるための表示制御プログラム。
【請求項１６】
請求項１５に記載の表示制御プログラムを記録したコンピュータ読み取り可能な記録媒体。
【発明の詳細な説明】
【技術分野】
【０００１】
本発明は、左右の目の視認可否を切り替える視認切替機構を介して観賞者に立体映像を観賞させる表示装置において、視差バリア等の映像分離手段を用いて、複数の観賞者それぞれに対して異なる表示態様の映像を観賞させることが可能な表示装置、表示制御方法、表示制御プログラム、及びコンピュータ読み取り可能な記録媒体に関する。
【背景技術】
【０００２】
近年、３Ｄ映像の観賞方法等の研究が盛んになっている。一般的に、観賞者は、３Ｄ映像を観賞するときには、液晶シャッターメガネを装着して、３Ｄ映像専用の右目用映像および左目用映像をそれぞれ右目および左目で観賞する。これは、左右の目の視差を利用することで立体視が可能になるという原理を利用したものであり、このような従来の３Ｄ映像表示技術の一例として、特許文献１には、液晶シャッターメガネを介して立体視を行うことを可能とする立体視用画像表示装置が開示されている。
【０００３】
このような３Ｄ映像表示技術は、３Ｄモバイルハンドセット、３Ｄゲーム、３Ｄコンピュータモニタ、３Ｄラップトップディスプレイ、３Ｄワークステーション、および３Ｄプロフェッショナル画像処理（例えば、医療、設計、または建築等）等に適用することができる。
【０００４】
また、別の技術として、視差バリアを介して、複数の視聴者が同一のディスプレイから異なる動画像を観賞することが可能な表示装置も開発されている。その一例として、特許文献２には、視差バリアを用いて、異なる視線方向に向けて個別の映像を表示することが可能なマルチビュー表示装置が開示されている。
【０００５】
このようなマルチビュー表示装置は、自動車の運転席・助手席に対して異なる映像を表示するカーナビゲーション、携帯電話、ＰＤＡ（Personal Digital Assistants：個人向け携帯型情報通信機器）、ＰＣ、テレビ受信機等の身近な機器に限らず、計測機器、医療機器、産業機器等に適用することができる。
【０００６】
このように、近年の映像表示技術の発展により、様々な映像観賞態様が観賞者に提供されるようになっている。
【先行技術文献】
【特許文献】
【０００７】
【特許文献１】特開昭６２  −６１４９３号公報（１９８７年３月１８日公開）
【特許文献２】特開２００７−４１４９０号公報（２００７年２月１５日公開）
【発明の概要】
【発明が解決しようとする課題】
【０００８】
しかしながら、特許文献１、２の技術には次のような問題がある。
【０００９】
すなわち、観賞者によっては、左右の目の視差を利用した３Ｄ映像を観賞することで、いわゆる３Ｄ酔いを引き起こすことがある。あるいは、片方の目に障害を持つ人、３Ｄ観賞用メガネを所有しない人、高価な３Ｄ用メガネを買うことができない人、３Ｄ観賞用メガネをかけるのが煩わしいと感じる人なども少なからず存在する。このような人は、自ずと、３Ｄ映像ではなく２Ｄ映像の観賞を希望するようになる。すると、複数の観賞者が存在する場合、２Ｄ映像を観賞したい人と３Ｄ映像を観賞したい人とが混在するケースが出てくる。
【００１０】
このとき、従来は、左右の目の視差を利用した３Ｄ映像用の表示装置であって、かつ視差バリアを備えた表示装置は存在しなかったため、特許文献１、２の技術を用いたとしても、２Ｄ映像および３Ｄ映像の何れか一方しか表示装置に表示することができなかった。このため、従来の表示装置では、異なる場所に位置する複数の観賞者それぞれに対して、視差バリアを介して、２Ｄ映像および３Ｄ映像の両方を同時に観賞させることができなかった。したがって、２Ｄ映像を観賞したい人と３Ｄ映像を観賞したい人とが混在するケースにおいて、すべての観賞者の要求を同時に満足させることができないという問題があった。
【００１１】
本願発明は、上記従来の問題点に鑑みなされたものであって、その目的は、左右の目の視認可否を切り替える視認切替機構を介して観賞者に立体映像を観賞させる表示装置において、映像分離手段を用いて、複数の観賞者それぞれに対して異なる表示態様の映像を観賞させることが可能な表示装置、表示制御方法、表示制御プログラム、及びコンピュータ読み取り可能な記録媒体を実現することにある。
【課題を解決するための手段】
【００１２】
本発明に係る表示装置は、上記の課題を解決するために、
観賞者の左右の目の視差を利用した視差映像を表示し、左右の目の視認可否を切り替える視認切替機構を介して観賞者に立体映像を観賞させる表示装置であって、
表示部に表示される視差映像を複数の視線方向に分離して表示させる視線方向分離部と、
上記視線方向分離部によって分離された各視線方向に向けて表示される視差映像を、視線方向毎に表示制御し、上記視認切替機構を介した立体映像の観賞を可能にする表示制御手段と、を備えることを特徴としている。
【００１３】
本発明に係る表示制御方法は、上記の課題を解決するために、
観賞者の左右の目の視差を利用した視差映像を表示し、左右の目の視認可否を切り替える視認切替機構を介して観賞者に立体映像を観賞させる表示制御方法であって、
表示装置に設けられた表示部に表示される視差映像を、当該表示装置に設けられた視線方向分離部により複数の視線方向に分離して表示し、
上記視線方向分離部によって分離された各視線方向に向けて表示される視差映像を、視線方向毎に表示制御することで、上記視認切替機構を介した立体映像の観賞を可能にすることを特徴としている。
【００１４】
上記構成によれば、視線方向分離部は、表示部に表示される視差映像を、複数の視線方向に分離して表示させる。このとき、表示制御手段は、上記視線方向分離部によって分離された各視線方向に向けて表示される視差映像を、視線方向毎に表示制御する。したがって、表示制御手段は、観賞者に対して、視認切替機構を介することなく視差映像を観賞させる観賞態様に加え、視認切替機構を介して立体映像を観賞させる観賞態様をも可能にする。
【００１５】
このように、本発明に係る表示装置（表示制御方法）は、従来の課題、すなわち、左右の目の視差を利用した立体映像を表示することが可能な表示装置であって、かつ視差バリア等の視線方向分離部を備えた表示装置が存在しなかったという課題を解決することができる。加えて、複数の観賞者が存在し、視差映像（２Ｄ映像）を観賞したい人と立体映像（３Ｄ映像）を観賞したい人とが混在するような場合に、複数の観賞者それぞれに対して異なる表示態様の映像を観賞させることができるため、上記複数の観賞者の要求を同時に満足させることもできる。
【００１６】
なお、本発明に係る表示装置（表示制御方法）では、視線方向分離部は、表示部に表示される視差映像を、複数の視線方向に分離して表示させるため、観賞者が３人以上であっても、各々の観賞者が希望する観賞態様を同時に実現することができ、この点においてもさらに利便性の高い表示装置を実現している。
【００１７】
また、本発明に係る表示装置では、
上記表示部は、複数の画素を有しており、
上記表示制御手段は、上記複数の視線方向のうち、同一の視線方向に対応付けられた画素群ごとに、その画素群に表示される視差映像を表示制御する構成であってよい。
【００１８】
上記構成によれば、同一の視線方向に対応付けられた画素群ごとに視差映像が表示制御される。したがって、画素群ごとの表示制御によって、同一の視線方向に対して同一の表示態様（３Ｄ映像／２Ｄ映像）に係る映像が表示されるため、観賞者が希望しない観賞態様を確実に排除することができる。例えば、観賞者が２Ｄ映像の観賞を希望しているときには、同一の視線方向に対応付けられた画素群には２Ｄ映像のみが表示され、その視線方向には３Ｄ映像は表示されない。したがって、その視線方向に位置する観賞者に３Ｄ酔いを起こさせることもなく、観賞者に安心感を与えるという効果を奏する。
【００１９】
また、本発明に係る表示装置では、
上記表示制御手段は、上記画素群のうち、第１の視線方向に対応付けられた画素群では、視差映像である右目用映像および左目用映像を交互に表示させ、上記第１の視線方向とは異なる第２の視線方向に対応付けられた画素群では、上記右目用映像または上記左目用映像を表示させる構成であってよい。
【００２０】
一般に、観賞者の左右の目の視差を利用した視差映像である右目用映像および左目用映像を交互に表示することにより３Ｄ映像表示が実現する。また、その右目用映像および左目用映像の何れかのみを表示すると、従来の２Ｄ映像が実現する。
【００２１】
したがって、表示制御手段が、第１の視線方向に対応付けられた画素群では、視差映像である右目用映像および左目用映像を交互に表示させることで立体映像表示を実現し、上記第１の視線方向とは異なる第２の視線方向に対応付けられた画素群では、右目用映像および左目用映像の何れかのみを表示させることで２Ｄ映像表示を実現することができる。
【００２２】
それゆえ、上記構成とすることにより、視差映像（２Ｄ映像）を観賞したい人と立体映像（３Ｄ映像）を観賞したい人とが混在するような場合に、複数の観賞者それぞれに対して異なる表示態様の映像を確実に観賞させることができる。
【００２３】
また、本発明に係る表示装置では、
上記表示制御手段は、
上記画素群のうち、上記右目用映像および上記左目用映像が交互に表示される画素群である３次元画素群、及び上記右目用映像または上記左目用映像が表示される画素群である２次元画素群をそれぞれ決定する画素群決定手段と、
上記右目用映像および上記左目用映像を上記３次元画素群に表示させ、上記右目用映像または上記左目用映像を上記２次元画素群に表示させる画素群表示制御手段と、
を備える構成であってよい。
【００２４】
上記構成によれば、画素群決定手段は、立体映像が表示される３次元画素群、及び２Ｄ映像が表示される２次元画素群を決定する。これは、例えば第１の視線方向へは３Ｄ映像を表示させ、第１の視線方向とは異なる第２の視線方向へは２Ｄ映像を表示させるという設定にしたがい、画素群決定手段が、３次元画素群および２次元画素群を決定する。
【００２５】
そして、画素群表示制御手段は、上記右目用映像および上記左目用映像を上記３次元画素群に表示させ、上記右目用映像または上記左目用映像を上記２次元画素群に表示させることにより、複数の観賞者はそれぞれ、３Ｄ映像および２Ｄ映像を観賞することが可能となる。
【００２６】
このようにして、上記表示制御手段は、上記右目用映像および上記左目用映像からなる３Ｄ映像を観賞したい人と上記右目用映像または上記左目用映像からなる２Ｄ映像を観賞したい人とが混在するような場合に、複数の観賞者それぞれに対して異なる表示態様の映像を観賞させることができ、上記複数の観賞者の要求を同時に満足させることができるという効果を奏する。
【００２７】
また、本発明に係る表示装置では、
上記３次元画素群の輝度を、上記視線方向分離部を用いることなく上記右目用映像および上記左目用映像を表示するときの当該３次元画素群の輝度よりも高くする第１輝度制御手段を備える構成であってよい。
【００２８】
本発明に係る表示装置では、表示部の複数の画素が３次元画素群と２次元画素群とに分かれ、かつ、３次元画素群および２次元画素群では、それぞれ表示制御された個別の映像が表示されることから、各画素群における光量は、通常の表示状態（視線方向分離部を用いない表示状態）に比べて低下する。しかも、３Ｄ映像の観賞者は、視認切替機構を介して３Ｄ映像を観賞するため、視認切替機構の構造によっては光透過率が低くなり、３Ｄ映像の観賞者が感じる光量はさらに低下する。このことは、視認切替機構によって分離される視線方向が増えるほど顕著になる。
【００２９】
しかしながら、本発明に係る表示装置では、第１輝度制御手段が、上記３次元画素群の輝度を、上記視線方向分離部を用いることなく上記右目用映像および上記左目用映像を表示するときの当該３次元画素群の輝度よりも高くする。これにより、３Ｄ映像の観賞者が感じる光量を高めることができ、観賞者が受ける違和感をなくすことができるという効果を奏する。
【００３０】
また、本発明に係る表示装置では、
上記第１輝度制御手段は、自装置のバックライトの輝度を高くする構成であってよい。
【００３１】
上記構成によれば、第１輝度制御手段は、自装置のバックライトの輝度を高くする。したがって、３次元画素群の輝度を高くすることができるため、３Ｄ映像の観賞者が感じる光量を高めることができ、観賞者が受ける違和感をなくすことができるという効果を奏する。
【００３２】
また、本発明に係る表示装置では、
上記２次元画素群における光の透過率を、上記視線方向分離部を用いることなく上記右目用映像または上記左目用映像を当該２次元画素群に表示するときの光量と略等しくなるように低下させる光透過率制御手段を備える構成であってよい。
【００３３】
上述したように第１輝度制御手段が３次元画素群の輝度を高くすることで、２次元画素群の光量が増加するケースも出てくる。たとえば、第１輝度制御手段がバックライトの輝度を上げたとき、２次元画素群においても同じバックライトを用いることから、２Ｄ映像の観賞者にとっては光量が増加しすぎることになる。
【００３４】
しかしながら、本発明に係る表示装置では、光透過率制御手段が、上記２次元画素群における光の透過率を、上記視線方向分離部を用いることなく上記右目用映像または上記左目用映像を当該２次元画素群に表示するときの光量と略等しくなるように低下させる。したがって、２次元画素群の光量を低くすることができるため、２Ｄ映像の観賞者が感じる光量を下げることができ、観賞者が受ける違和感をなくすことができるという効果を奏する。
【００３５】
また、本発明に係る表示装置では、
上記画素群表示制御手段は、上記２次元画素群に表示される上記右目用映像または上記左目用映像に、当該右目用映像または当該左目用映像よりも輝度の低い低輝度映像を挿入して上記２次元画素群に表示させる構成であってよい。
【００３６】
上記構成とすることにより、上記右目用映像または上記左目用映像に上記低輝度映像を挿入した映像が上記２次元画素群に表示されるため、２次元画素群の輝度を平均的に低くすることができる。したがって、２Ｄ映像の観賞者が感じる光量を低下させることができ、当該観賞者が受ける違和感をなくすことができるという効果を奏する。
【００３７】
なお、上記では「低輝度映像」と説明しているが、映像そのものである必要はなく、上記右目用映像または上記左目用映像よりも輝度の低い状態を作り出すことができるのであれば、上記構成はいかなる態様で実現されてもよい。
【００３８】
また、本発明に係る表示装置では、
上記第１輝度制御手段は、上記３次元画素群の輝度を高くする構成であってよい。
【００３９】
上記構成により、上記第１輝度制御手段は上記３次元画素群自体の輝度を高くするため、３Ｄ映像の観賞者が感じる光量を高めることができ、観賞者が受ける違和感をなくすことができるという効果を奏する。
【００４０】
また、本発明に係る表示装置では、
上記２次元画素群の輝度を、上記視線方向分離部を用いることなく上記右目用映像または上記左目用映像を当該２次元画素群に表示するときの光量と略等しくなるように低下させる第２輝度制御手段を備える構成であってよい。
【００４１】
上述したように第１輝度制御手段が３次元画素群の輝度を高くすることで、２次元画素群の光量が増加し、２Ｄ映像の観賞者にとっては光量が増加しすぎること場合も出てくる。
【００４２】
そこで、第２輝度制御手段が、上記２次元画素群の輝度を、上記視線方向分離部を用いることなく上記右目用映像または上記左目用映像を当該２次元画素群に表示するときの光量と略等しくなるように低下させることにより、２次元画素群の輝度をすることができる。これにより、２Ｄ映像の観賞者が感じる光量を低下させることができ、当該観賞者が受ける違和感をなくすことができるという効果を奏する。
【００４３】
また、本発明に係る表示装置では、
上記視認切替機構が、右目用液晶シャッターおよび左目用液晶シャッターを有する液晶シャッターメガネであるときに、
上記画素群表示制御手段が上記３次元画素群に上記右目用映像を表示させる表示タイミングと、上記右目用液晶シャッターを開、上記左目用液晶シャッターを閉とするシャッター開閉タイミングとを同期させ、かつ、上記画素群表示制御手段が上記３次元画素群に上記左目用映像を表示させる表示タイミングと、上記右目用液晶シャッターを閉、上記左目用液晶シャッターを開とするシャッター開閉タイミングとを同期させる同期制御手段を備える構成であってよい。
【００４４】
上記構成によれば、同期制御手段は、上記画素群表示制御手段が上記３次元画素群に上記右目用映像または上記左目用映像を表示させる表示タイミングと、液晶シャッターメガネのシャッター開閉タイミングを好適に同期させることが可能である。
【００４５】
したがって、観賞者は、液晶シャッターメガネを介して、上記３次元画素群に表示される３Ｄ映像を確実に観賞することができる。
【００４６】
また、本発明に係る表示装置では、
上記画素群決定手段は、操作部を介した上記観賞者による入力操作に基づき、上記３次元画素群および上記２次元画素群を決定する構成であってよい。
【００４７】
複数の観賞者が存在し、視差映像（２Ｄ映像）を観賞したい人と立体映像（３Ｄ映像）を観賞したい人とが混在するような場合に、視差映像および立体映像が表示される視線方向を変更・確認したい場合もありえる。
【００４８】
このようなとき、上記画素群決定手段は、操作部を介した上記観賞者による入力操作に基づき、上記３次元画素群および上記２次元画素群を決定する。したがって、立体映像（３Ｄ映像）を観賞したい人に対しては視線方向を表示装置の右側へ、視差映像（２Ｄ映像）を観賞したい人に対しては視線方向を表示装置の左側へ変更するといった実施態様を実現することができ、より利便性の高い表示装置を実現することができる。
【００４９】
また、本発明に係る表示装置では、
上記視線方向分離部は、上記表示部に対して着脱可能に設けられている構成であってよい。
【００５０】
上記視線方向分離部が上記表示部に対して着脱可能に設けられていることにより、観賞者は、２Ｄ映像のみを観賞したいとき、または３Ｄ映像のみを観賞したいときに上記視線方向分離部を取り外せばよく、迅速かつ確実に観賞者の希望に沿う映像表示態様を実現することができる。
【００５１】
なお、上記表示制御方法は、コンピュータによって実現してもよく、この場合には、コンピュータを上記処理として動作させることにより上記表示制御方法をコンピュータにて実現させる表示制御プログラム、およびそれを記録したコンピュータ読み取り可能な記録媒体も、本発明の範疇に入る。
【発明の効果】
【００５２】
本発明に係る表示装置は、以上のように、
表示部に表示される視差映像を複数の視線方向に分離して表示させる視線方向分離部と、
上記視線方向分離部によって分離された各視線方向に向けて表示される視差映像を、視線方向毎に表示制御し、上記視認切替機構を介した立体映像の観賞を可能にする表示制御手段と、を備える構成である。
【００５３】
また、本発明に係る表示制御方法は、以上のように、
表示装置に設けられた表示部に表示される視差映像を、当該表示装置に設けられた視線方向分離部により複数の視線方向に分離して表示し、
上記視線方向分離部によって分離された各視線方向に向けて表示される視差映像を、視線方向毎に表示制御することで、上記視認切替機構を介した立体映像の観賞を可能にする構成である。
【００５４】
それゆえ、視差バリア等の映像分離手段を用いて、複数の観賞者それぞれに対して異なる表示態様の映像を観賞させることが可能な表示装置、表示制御方法を提供することができる。
【図面の簡単な説明】
【００５５】
【図１】本実施の形態に係る表示装置の内部構成を説明するためのブロック図である。
【図２】本実施の形態に係る他の表示装置の内部構成を説明するためのブロック図である。
【図３】本実施の形態に係る表示装置を含む２Ｄ／３Ｄ映像観賞システムの概略構成図である。
【図４】本実施の形態に係る表示装置の表示部の断面図を示す。
【図５】本実施の形態に係る表示装置が、液晶シャッターメガネを装着する３Ｄ映像観賞者には３Ｄ映像を、２Ｄ映像観賞者には２Ｄ映像を観賞させる動作を示す図であり、２Ｄ映像に対して特段の処理を行わない動作を説明するための図である。
【図６】本実施の形態に係る表示装置が、液晶シャッターメガネを装着する３Ｄ映像観賞者には３Ｄ映像を、２Ｄ映像観賞者には２Ｄ映像を観賞させる動作を示す図であり、２Ｄ映像に対して画素が黒となる状況（映像）を挿入する動作を説明するための図である。
【発明を実施するための形態】
【００５６】
以下、図面を参照しつつ、本発明に係る表示装置１について説明する。以下の説明では、同一の部品および構成要素には同一の符号を付してある。また、それらの名称および機能も同じである。したがって、それらについての詳細な説明は繰り返さない。
【００５７】
〔２Ｄ／３Ｄ映像観賞システムの概略構成〕
表示装置１の説明に入る前に、表示装置１を含む２Ｄ／３Ｄ映像観賞システムを図３により説明する。図３は、表示装置１を含む２Ｄ／３Ｄ映像観賞システムの概略構成図である。
【００５８】
本実施形態に係る２Ｄ／３Ｄ映像観賞システムは、記録再生装置９０によって再生され、表示装置１において表示される視差映像を、液晶シャッターメガネ（視認切替機構）７０を装着する観賞者には３次元映像（以降、「３Ｄ映像」または「立体映像」と称する場合もある。）を、裸眼の観賞者には２次元映像（以降、「２Ｄ映像」と称する場合もある。）を観賞させるものである。ここで、視差映像とは、観賞者の左右の目の視差を利用した映像であって、３Ｄ映像専用の右目用映像および左目用映像をいう。
【００５９】
図示するように、本実施形態に係る２Ｄ／３Ｄ映像観賞システムは、おもに表示装置１と、液晶シャッターメガネ（視認切替機構）７０と、操作部８０と、記録再生装置９０と、中継器９５とを備える。
【００６０】
表示装置１は、記録再生装置９０によって再生される映像を表示するものであり、例えば、ＬＣＤ（液晶ディスプレイ）、ＰＤＰ（プラズマディスプレイパネル）、またはＣＲＴ（cathode-ray tube）ディスプレイなどである。表示装置１には、図示しない視差バリア（視線方向分離部）１０８が表示部に設けられているが、その詳細は図４により後述する。
【００６１】
液晶シャッターメガネ７０は、偏光板、液晶フィルタ、及び偏光板の三層構造を備え、液晶フィルタで２つの透過偏光光を切り替えることができるようになっている。より具体的には、液晶シャッターメガネ７０は、光の通過及び遮断を制御するシャッター駆動信号により左右眼用のシャッターを開閉させ、そのシャッター駆動信号は、表示装置１から出力される所望の映像信号のフィールド周波数に同期がとれており、かつ信号幅も映像信号に対応したものとなっている。したがって、このシャッター駆動信号によりシャッターを開閉することにより、観賞者は、複数の映像信号のうち、選択された「１つの映像信号に対応した映像」だけをシャッター開状態で見ることができ、かつ、それ以外の映像はシャッター閉状態で見ることができない、所望の映像だけを観賞することができる。
【００６２】
なお、同図では、液晶シャッターメガネ７０は、中継器９５を介して、表示装置１とケーブルを介して有線接続されている。しかしながら、液晶シャッターメガネ７０は、中継器９５、および／または、表示装置１と、無線接続されていてもよい。
【００６３】
また、同図では、中継器９５には２台の液晶シャッターメガネ７０Ａ・７０Ｂが接続されている。しかしながら、液晶シャッターメガネ７０の台数は２台に限定されず、単数、または３台以外の複数であってよい。
【００６４】
操作部８０は、観賞者が表示装置１、及び記録再生装置９０を動作させるための指示信号を入力するものであり、例えば、表示装置１を遠隔操作するリモコンや、表示装置１自体に設けられた操作ボタン、あるいは、表示装置１に接続された、マウスやキーボードなどで構成されてよい。操作部８０を用いて観賞者により入力された指示信号は、図示しない入出力制御部を介して、表示装置１、および／または、記録再生装置９０の各部に送られる。これにより、観賞者は、表示装置１、記録再生装置９０を操作することができる。
【００６５】
本実施の形態では、操作部８０は、後述する視差バリア１０８によって３Ｄ映像および／または２Ｄ映像が表示される視線方向を決定、変更、確認等するためにも用いられる。すなわち、観賞者は、操作部８０を介した入力操作により、自身が観賞したい映像の表示態様（２Ｄ／３Ｄ）、及び、その映像が表示される視線方向を表示装置１に入力することができる。
【００６６】
なお、同図では、操作部８０は１台のみ記載されている。しかしながら、表示装置１、記録再生装置９０に対してそれぞれ別々に備えられていてよい。
【００６７】
記録再生装置９０は、ＢＤ（Blu-Ray(登録商標) Disc）あるいはＤＶＤ（Digital Versatile Disc）、ＨＤＤ（Hard Disc Drive）等の情報記録媒体に記録された映像情報を再生するものであり、公知の記録再生装置であってよい。
【００６８】
なお、同図では、記録再生装置９０によって再生された映像信号が表示装置１に入力されるものとして説明している。しかしながら、記録再生装置９０ではなく、ＩＰ（Internet Protocol）ネットワークを使ってリアルタイム放送や映画などのコンテンツを配信するサービスを利用して受信した映像データに対応する映像が表示装置１に表示されてもよい。その一例として、決められた放送スケジュールにしたがって番組をリアルタイムに配信する放送タイプのサービスであるリニアＴＶ、または、受信側からの配信要求に応じて、該コンテンツ処理装置にユニキャストでコンテンツを配信するサービスであるＶｏＤ（Video on Demand）を利用して取得した映像データに対応する映像が表示装置１に表示されてもよい。
【００６９】
なお、本実施形態では、表示装置１に表示される映像は、観賞者の左右の目の視差を利用した右目用映像および左目用映像からなる３Ｄ映像、及び２Ｄ映像（上記右目用映像または上記左目用映像）であるものとして説明するが、これらに限定されるものではない。
【００７０】
中継器９５は、表示装置１、液晶シャッターメガネ７０、及び記録再生装置９０を互いに接続するためのものである。ただし、液晶シャッターメガネ７０および記録再生装置９０を表示装置１に直接接続するとき、あるいは、表示装置１と液晶シャッターメガネ７０とを無線接続にするときなどには、中継器９５は特に必要ではない。
【００７１】
〔視差バリアについて〕
次に、表示装置１の表示部に設けられる視差バリアについて図４を参照して説明する。図４は、表示装置１の表示部の断面図を示す。
【００７２】
図示するように、表示装置１の表示部には、液晶パネル１００と、バックライト１０１と、液晶パネルのバックライト側に設置された偏光板１０２と、液晶パネルの発光方向側の前面に配置された偏光板１０３と、ＴＦＴ（Thin Film Transistor）基板１０４と、液晶層１０５と、カラーフィルタ基板１０６と、ガラス基板１０７と、視差バリア１０８と、が設けられている。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２・１０３の間に挟んだ構成となっており、バックライト１０１からやや離隔して配設される。また、液晶パネル１００は、ＲＧＢ色（三原色）で構成される画素を有する。
【００７３】
液晶パネル１００の各画素に表示される映像は、視差バリア１０８によって複数の視線方向ごとに分離して表示される。同図では、表示装置１が、自動車の運転席・助手席に対して異なる映像を表示するカーナビゲーションに使用される例が記載されており、液晶パネル１００の各画素は、同図左側（助手席側）表示用と、同図右側（運転席側）表示用に分けられて表示制御されている。
【００７４】
図示するように、左側（助手席側）表示用画素は、視差バリア１０８により右側（運転席側）への表示は遮断され、左側（助手席側）からは視認可能になっている。また一方で、右側（運転席側）表示用画素は、視差バリア１０８により左側（助手席側）への表示が遮断され、右側（運転席側）からは視認可能になっている。これにより、運転者と同乗者に異なった表示が提供される。つまり、同図の例では、運転者にはナビゲーションの地図情報を与え、同時に同乗者にはＤＶＤの映画等を見せることができる。
【００７５】
なお、視差バリア１０８は、上記液晶パネルの各画素の構成を変更すれば、３方向等、複数方向に異なった画像を表示する構成も可能である。また、視差バリア１０８は、パララックス方式またはレンティキュラ方式等の様々なタイプのものであってよい。さらに、視差バリア１０８は、液晶パネル１００の各画素との位置合わせが可能であれば、表示装置１の表示部に対して着脱可能な構成で実現されてもよい。
【００７６】
〔表示装置１の内部構成について〕
次に、液晶表示装置１の内部構成を図１により説明する。図１は、表示装置１の内部構成を説明するためのブロック図である。
【００７７】
表示装置１は、液晶シャッターメガネ７０を装着する観賞者には３Ｄ映像を、裸眼の観賞者には２Ｄ映像を観賞させるための映像を表示するものである。表示装置１は、少なくとも、表示装置１の各部を統括制御する制御部５と、外部の記録再生装置９０またはＩＰネットワーク、テレビ用電波等から表示装置１で視差映像を表示するための信号（視差映像信号）を取得するコンテンツ受信部４０と、後述する同期制御部３０から受信した表示タイミング信号に基づいて、液晶シャッターメガネ７０に対して液晶シャッターメガネの開閉を命令するシャッター駆動信号を出力する命令信号出力部５０と、視差バリア１０８等を備えた表示部６０と、を備える。
【００７８】
なお、表示装置１には、有線または無線により、液晶シャッターメガネ７０と操作部８０とが通信可能に接続されているものとする。
【００７９】
コンテンツ受信部４０は、記録再生装置９０によって再生された映像信号、あるいは、ＩＰネットワークを使ってリアルタイム放送または映画などのコンテンツを配信するサービスを利用して受信した映像データ等に対応する映像信号を取得する。そして、コンテンツ受信部４０は、その映像信号を制御部５に出力する。なお、本実施の形態においては、コンテンツ受信部４０は、観賞者の左右の目の視差を利用した視差映像（右目用映像および左目用映像）を表示装置１で表示するための視差映像信号を取得するものとして説明する。
【００８０】
制御部５は、表示装置１の各部を統括制御するものであり、表示制御部（表示制御手段）１０と、光量制御部２０と、同期制御部（同期制御手段）３０とを含む。
【００８１】
表示制御部１０は、コンテンツ受信部４０から視差映像信号を取得する。そして、表示制御部１０は、液晶シャッターメガネ７０によって分離された各視線方向に向けて表示される、上記視差映像信号に基づいて表示される視差映像を、視線方向毎に表示制御することにより、液晶シャッターメガネ７０を介した３Ｄ映像（立体映像）の観賞を可能にする。このとき、表示制御部１０は、複数の視線方向のうち、同一の視線方向に対応付けられた画素群ごとに、その画素群に表示される視差映像を表示制御し、表示部６０の複数の画素のうち、第１の視線方向に対応付けられた画素群では、視差映像である右目用映像および左目用映像を交互に表示させ、第１の視線方向とは異なる第２の視線方向に対応付けられた画素群では、上記右目用映像または上記左目用映像を表示させる。
【００８２】
より具体的に説明すると、表示制御部１０は、画素群決定部（画素群決定手段）１１と、映像信号生成部（映像信号生成手段）１２と、画素群表示制御部（画素群表示制御手段）１３とを備える。
【００８３】
画素群決定部１１は、上記画素群のうち、右目用映像および左目用映像が交互に表示される画素群である３次元画素群、及び右目用映像または左目用映像が表示される画素群である２次元画素群をそれぞれ決定する。
【００８４】
具体的には、第１の視線方向へは３Ｄ映像を表示させ、第１の視線方向とは異なる第２の視線方向へは２Ｄ映像を表示させる設定に基づき、画素群決定部１１が、３次元画素群および２次元画素群を決定する。
【００８５】
なお、画素群決定部１１は、後述の操作部８０を介した観賞者による入力操作を受け付けて、３次元画素群および２次元画素群を決定することもできる。例えば、３Ｄ映像を観賞したい人に対しては視線方向を表示装置の右側へ、視差映像（２Ｄ映像）を観賞したい人に対しては視線方向を表示装置の左側へ変更するといった入力操作に基づき、３次元画素群および２次元画素群を決定することもできる。観賞者による入力操作方法、操作画面などは、公知の技術を用いて決めてよいため、ここでの詳細説明は省略する。
【００８６】
また、操作部８０を介した観賞者の入力操作がなされないときなどには、表示部６０の画素のうち、３次元画素群および２次元画素群に該当する画素が予め決められていてもよい。
【００８７】
映像信号生成部１２は、コンテンツ受信部４０から取得する、または、画素群決定部１１を介してコンテンツ受信部４０から取得する視差映像信号に基づいて、画素群決定部１１が決定した３次元画素群で視差映像を表示するための３次元映像信号と、画素群決定部１１が決定した２次元画素群で視差映像を表示するための２次元映像信号とを生成する。
【００８８】
具体的には、映像信号生成部１２は、表示部６０の有する画素数と３次元画素群および２次元画素群の画素数との割合、３次元画素群および２次元画素群の位置等に鑑み、表示装置１で視差映像を表示するための視差映像信号から、３次元画素群で視差映像を表示するための３次元映像信号、及び２次元画素群で視差映像を表示するための２次元映像信号を生成する。
【００８９】
例えば、視差バリア１０８により２つの視線方向に等分離して映像を表示する場合、３次元画素群および２次元画素群で映像表示するときに必要な画素数は、視差バリア１０８を用いない通常の映像表示に比べてそれぞれ半分となる。したがって、このとき映像信号生成部１２は、表示部６０の左右方向（重力方向に対して垂直な方向）における総画素数がそれぞれ半分となるように、３次元画素群および２次元画素群で視差映像を表示するための３次元映像信号および２次元映像信号を生成する。その後、映像信号生成部１２は、３次元映像信号および２次元映像信号を画素群表示制御部１３に出力する。
【００９０】
画素群表示制御部１３は、映像信号生成部１２が生成した３次元映像信号にしたがって、右目用映像および上記左目用映像を３次元画素群に表示させ、映像信号生成部１２が生成した上記２次元映像信号にしたがって、右目用映像または左目用映像を２次元画素群に表示させる。
【００９１】
続いて、光量制御部２０は、輝度制御部（第１輝度制御手段）２１と、光透過率制御部（光透過率制御手段）２２とを有する。
【００９２】
輝度制御部２１は、表示装置１が備えるバックライトの輝度を制御するためのものである。表示装置１では、表示部６０の複数の画素が３次元画素群と２次元画素群とに分かれ、かつ、３次元画素群および２次元画素群では、それぞれ表示制御された個別の映像が表示されることから、各画素群における光量は、通常の表示状態（視差バリア１０８を用いない表示状態）に比べて低下する。また、３Ｄ映像の観賞者は、液晶シャッターメガネ７０を介して３Ｄ映像を観賞するため、液晶シャッターメガネ７０によっては光透過率が低くなり、３Ｄ映像の観賞者が感じる光量はさらに低下する。このことは、視差バリア１０８によって分離される視線方向が増えるほど顕著になる。
【００９３】
そこで、輝度制御部２１が表示装置１が備えるバックライトの輝度を高くする制御を行うことにより、３Ｄ映像の観賞者が感じる光量を高めている。
【００９４】
なお、輝度制御部２１は、表示制御部１０からバックライトの輝度を高くする旨の命令を受け、その命令にしたがいバックライトの輝度を高くすればよい。あるいは、輝度制御部２１は、視差バリア１０８によって分離される視線方向の数に応じて、バックライトの輝度を高くする制御を行えばよい。
【００９５】
光透過率制御部２２は、２次元画素群における光の透過率を制御するためのものである。具体的には、輝度制御部２１が３次元画素群の輝度を制御することで、２次元画素群の光量が増加するケースも出てくる。たとえば、輝度制御部２１がバックライトの輝度を上げたとき、２次元画素群においても同じバックライトを用いることから、２Ｄ映像の観賞者にとっては光量が増加しすぎることになる。
【００９６】
そこで、光透過率制御部２２が、２次元画素群における光の透過率を、視差バリア１０８を用いることなく右目用映像または左目用映像を当該２次元画素群に表示するときの光量と略等しくなるように低下させることにより、２Ｄ映像の観賞者が感じる光量を低下させることができる。
【００９７】
なお、光透過率制御部２２は、輝度制御部２１がバックライトの輝度を高くするときに、２次元画素群における光の透過率を下げればよい。あるいは、光透過率制御部２２は、輝度制御部２１によって制御されるバックライトの輝度レベルの上下変動に合わせて、２次元画素群における光の透過率を下げる制御を行えばよい。
【００９８】
同期制御部３０は、画素群表示制御部１３が右目用映像を３次元画素群に表示させる表示タイミングと、液晶シャッターメガネ７０の右目用液晶シャッターを開、左目用液晶シャッターを閉とするシャッター開閉タイミングとを同期させる。また、同期制御部３０は、画素群表示制御部１３が左目用映像を３次元画素群に表示させる表示タイミングと、液晶シャッターメガネ７０の右目用液晶シャッターを閉、左目用液晶シャッターを開とするシャッター開閉タイミングとを同期させる。これは、同期制御部３０が、表示制御部１０から、３次元画素群に右目用映像および左目用映像を表示させる表示タイミングを示す表示タイミング信号を受け付け、その表示タイミングに同期するように、液晶シャッターメガネ７０の右目用液晶シャッター及び左目用液晶シャッターを開閉する命令を命令信号出力部５０に出力することでなされる。
【００９９】
命令信号出力部５０は、液晶シャッターメガネ７０に対して、同期制御部３０から取得した表示タイミング信号に基づいて右目用液晶シャッター及び左目用液晶シャッターを開閉するよう命令するシャッター駆動信号を出力する。そして、液晶シャッターメガネ７０は、上記シャッター駆動信号に基づいて、画素群表示制御部１３が３次元画素群に右目用映像を表示させる表示タイミングと同期して、液晶シャッターメガネ７０の右目用液晶シャッターを開、左目用液晶シャッターを閉とし、かつ、画素群表示制御部１３が３次元画素群に左目用映像を表示させる表示タイミングと同期して、液晶シャッターメガネ７０の右目用液晶シャッターを閉、左目用液晶シャッターを開とする。
【０１００】
〔表示装置２の内部構成について〕
次に、画素が自発光するプラズマ等の自発光型の表示装置２の内部構成を図２により説明する。図２は、表示装置２の内部構成を説明するためのブロック図である。なお、図１を参照して説明した内容については説明を省略する。
【０１０１】
表示装置１と表示装置２との相違点は、表示装置１の光量制御部２０には輝度制御部２１と光透過率制御部２２とが含まれるのに対して、表示装置２には光透過率制御部２２が含まれていない点が挙げられる。
【０１０２】
表示装置２では、表示部６０の複数の画素が３次元画素群と２次元画素群とに分かれ、かつ、３次元画素群および２次元画素群では、それぞれ表示制御された個別の映像が表示されることから、各画素群における光量は、通常の表示状態（視差バリア１０８を用いない表示状態）に比べて低下する。また、３Ｄ映像の観賞者は、液晶シャッターメガネ７０を介して３Ｄ映像を観賞するため、液晶シャッターメガネ７０によっては光透過率が低くなり、３Ｄ映像の観賞者が感じる光量はさらに低下する。このことは、視差バリア１０８によって分離される視線方向が増えるほど顕著になる。
【０１０３】
そこで、自発光型の表示装置２では、輝度制御部２３が、３次元画素群の輝度を上げる制御を行う。同時に、輝度制御部２３は、２次元画素群の平均的な輝度を３次元画素群の平均的な輝度よりも低くし、２次元画素群における輝度を通常の表示状態（視線方向分離部を用いない表示状態）のときの光量と略等しくする。これにより、３Ｄ映像および２Ｄ映像の観賞者がそれぞれ受ける違和感をなくしている。
【０１０４】
〔２人の観賞者が３Ｄ映像および２Ｄ映像を観賞する動作〕
次に、２人の観賞者が３Ｄ映像および２Ｄ映像をそれぞれ観賞する動作を図５、図６により説明する。図５、図６は、表示装置１が、液晶シャッターメガネ７０を装着する観賞者（以降、「３Ｄ映像観賞者」と称する場合もある。）には３Ｄ映像を、裸眼の観賞者（以降、「２Ｄ映像観賞者」と称する場合もある。）には２Ｄ映像を観賞させる動作を示す図であり、図５は、２Ｄ映像（右目用映像）に対して特段の処理を行わない動作を、図６は、２Ｄ映像（右目用映像）に画素が黒となる状況を挿入する動作をそれぞれ表す。
【０１０５】
なお、図５、図６では、３次元表示に用いることが可能な右目用映像および左目用映像が表示装置１に表示され、視差バリア１０８によって、３Ｄ映像観賞者の方向には右目用映像および左目用映像が交互に表示され、２Ｄ映像観賞者の方向には右目用映像が表示されるものとする（左目用映像であってもよい）。つまり、３Ｄ映像観賞者の方向に対応付けられた画素群（３次元画素群）には右目用映像および左目用映像が表示され、２Ｄ映像観賞者の方向に対応付けられた画素群（２次元画素群）には右目用映像が表示される。
【０１０６】
なお、このように右目用映像および左目用映像を表示装置１に表示する動作は図１等を参照して説明したため、ここでの説明は省略する。また、図５、図６では、右目用映像をＬと、左目用映像をＲと簡略化して表現している。
【０１０７】
図５に示すように、２Ｄ映像観賞者は２Ｄ映像である右目用映像を左右の裸眼で観賞し、３Ｄ映像観賞者は、液晶シャッターメガネ７０を介して、右目用映像を右目で、左目用映像を左目でそれぞれ観賞する。つまり、観賞者の左右の目の視差を利用した映像の表示が可能な表示装置１において、複数の観賞者それぞれに対して、一方には２Ｄ映像を、他方には３Ｄ映像という異なる表示態様の映像を観賞させている。
【０１０８】
ただし、図５のケースには次のような問題が内在する。
【０１０９】
すなわち、図５のケースでは、表示部の複数の画素が３次元画素群と２次元画素群とに二分され、かつ、各画素群で個別の映像が表示されることから、各画素群における光量は、通常の表示状態（視差バリア１０８を用いない表示状態）に比べて半減する。しかも、液晶シャッターメガネ７０の光透過率は低いため、３Ｄ映像観賞者が感じる光量はさらに減少する。このことは、視差バリアによって３以上の視線方向に対して個別の映像を表示する場合にさらに顕著となる。そのため、３Ｄ映像観賞者が感じる光量を高めるために、表示装置１はバックライトの輝度を上げている。
【０１１０】
しかしながら、表示装置１では、バックライトの輝度を上げることにより、２次元画素群においても同じバックライトを用いることから、２Ｄ映像観賞者にとって光量が増加しすぎることになる。
【０１１１】
そこで、２次元画素群における輝度を下げることが好ましく、その方法として、上記では光透過率制御部２２が２次元画素群の光透過率を下げる構成などを説明した。一方、図６は、その構成とは異なる方法を説明するものである。同図では、連続する右目用映像の間に画素が黒となる状況（映像）が挿入されており、これにより、２次元画素群における輝度を、２Ｄ映像観賞者にとって映像を観賞しやすいレベルにまで調整している。なお、同図では、連続する右目用映像の間に画素が黒となる状況（映像）を挿入しているが、黒でなくとも、右目用映像よりも輝度が低い状況（映像）を挿入することにより、２次元画素群における輝度を下げることができる。
【０１１２】
図６の方法は、以下の動作によって実現される。
【０１１３】
すなわち、図２において、映像信号生成部１２は、２次元画素群に表示される右目用映像または左目用映像よりも輝度の低い低輝度映像を表示するための低輝度映像信号を２次元映像信号に含める。そして、画素群表示制御部１３が、映像信号生成部１２が生成した２次元映像信号にしたがって、右目用映像または左目用映像と低輝度映像とを２次元画素群に表示させる。このとき、右目用映像または左目用映像と低輝度映像とは交互に表示されてもよいし、あるいは、任意の割合で表示部６０に表示されるようにしてもよく、２Ｄ映像観賞者が感じる光量を低下させることができるのであれば、適宜調節することができる。
【０１１４】
なお、上記では「低輝度映像」と説明しているが、映像そのものである必要はなく、右目用映像または左目用映像よりも輝度の低い状態を作り出すことができるのであれば、上記構成はいかなる態様で実現されてもよい。
【０１１５】
また、２次元画素群における輝度を下げる他の方法として、２次元画素群における光の透過率を下げる、透過率をほぼ０とする期間を設けるといった方法もあり、これらの方法によっても、２Ｄ映像観賞者が受ける違和感を軽減することができる。そして、これらの方法を適宜組み合わせて表示装置１（２）を構成することも、当然に可能である。
【０１１６】
〔表示装置１・２によって得られる効果〕
以下、表示装置１・２によって得られる効果を説明する。
【０１１７】
表示装置１（２）は、
観賞者の左右の目の視差を利用した視差映像を表示し、左右の目の視認可否を切り替える液晶シャッターメガネ７０を介して観賞者に立体映像を観賞させ、
表示部６０に表示される視差映像を複数の視線方向に分離して表示させる視差バリア１０８と、
視差バリア１０８によって分離された各視線方向に向けて表示される視差映像を、視線方向毎に表示制御し、液晶シャッターメガネ７０を介した立体映像の観賞を可能にする表示制御部１０と、を備える。
【０１１８】
本発明に係る表示制御方法は、
観賞者の左右の目の視差を利用した視差映像を表示し、左右の目の視認可否を切り替える液晶シャッターメガネ７０を介して観賞者に立体映像を観賞させ、
表示装置１（２）に設けられた表示部６０に表示される視差映像を、当該表示装置１（２）に設けられた視差バリア１０８により複数の視線方向に分離して表示し、
視差バリア１０８によって分離された各視線方向に向けて表示される視差映像を、視線方向毎に表示制御することで、液晶シャッターメガネ７０を介した立体映像の観賞を可能にする。
【０１１９】
上記構成によれば、視差バリア１０８は、表示部６０に表示される視差映像を、複数の視線方向に分離して表示させる。このとき、表示制御部１０は、視差バリア１０８によって分離された各視線方向に向けて表示される視差映像を、視線方向毎に表示制御する。したがって、表示制御部１０は、観賞者に対して、液晶シャッターメガネ７０を介することなく視差映像を観賞させる観賞態様に加え、液晶シャッターメガネ７０を介して立体映像を観賞させる観賞態様をも可能にする。
【０１２０】
このように、表示装置１（２）（表示制御方法）は、従来の課題、すなわち、左右の目の視差を利用した立体映像を表示することが可能であって、かつ視差バリア等の視差バリアを備えた表示装置が存在しなかったという課題を解決することができる。加えて、複数の観賞者が存在し、視差映像（２Ｄ映像）を観賞したい人と立体映像（３Ｄ映像）を観賞したい人とが混在するような場合に、複数の観賞者それぞれに対して異なる表示態様の映像を観賞させることができるため、複数の観賞者の要求を同時に満足させることもできる。
【０１２１】
なお、表示装置１（２）（表示制御方法）では、視差バリア１０８は、表示部６０に表示される視差映像を、複数の視線方向に分離して表示させるため、観賞者が３人以上であっても、各々の観賞者が希望する観賞態様を同時に実現することができ、この点においてもさらに利便性の高い表示装置を実現している。
【０１２２】
また、表示装置１（２）では、
表示部６０は、複数の画素を有しており、
表示制御部１０は、複数の視線方向のうち、同一の視線方向に対応付けられた画素群ごとに、その画素群に表示される視差映像を表示制御する構成であってよい。
【０１２３】
上記構成によれば、同一の視線方向に対応付けられた画素群ごとに視差映像が表示制御される。したがって、画素群ごとの表示制御によって、同一の視線方向に対して同一の表示態様（３Ｄ映像／２Ｄ映像）に係る映像が表示されるため、観賞者が希望しない観賞態様を確実に排除することができる。例えば、観賞者が２Ｄ映像の観賞を希望しているときには、同一の視線方向に対応付けられた画素群には２Ｄ映像のみが表示され、その視線方向には３Ｄ映像は表示されない。したがって、その視線方向に位置する観賞者に３Ｄ酔いを起こさせることもなく、観賞者に安心感を与えるという効果を奏する。
【０１２４】
また、表示装置１（２）では、
表示制御部１０は、画素群のうち、第１の視線方向に対応付けられた画素群では、視差映像である右目用映像および左目用映像を交互に表示させ、第１の視線方向とは異なる第２の視線方向に対応付けられた画素群では、右目用映像または左目用映像を表示させる構成であってよい。
【０１２５】
一般に、観賞者の左右の目の視差を利用した視差映像である右目用映像および左目用映像を交互に表示することにより３Ｄ映像表示が実現する。また、その右目用映像および左目用映像の何れかのみを表示すると、従来の２Ｄ映像が実現する。
【０１２６】
したがって、表示制御部１０が、第１の視線方向に対応付けられた画素群では、視差映像である右目用映像および左目用映像を交互に表示させることで立体映像表示を実現し、第１の視線方向とは異なる第２の視線方向に対応付けられた画素群では、右目用映像および左目用映像の何れかのみを表示させることで２Ｄ映像表示を実現することができる。
【０１２７】
それゆえ、上記構成とすることにより、視差映像（２Ｄ映像）を観賞したい人と立体映像（３Ｄ映像）を観賞したい人とが混在するような場合に、複数の観賞者それぞれに対して異なる表示態様の映像を確実に観賞させることができる。
【０１２８】
また、表示装置１（２）では、
表示制御部１０は、
画素群のうち、右目用映像および左目用映像が交互に表示される画素群である３次元画素群、及び右目用映像または左目用映像が表示される画素群である２次元画素群をそれぞれ決定する画素群決定部１１と、
上記右目用映像および上記左目用映像を３次元画素群に表示させ、上記右目用映像または上記左目用映像を２次元画素群に表示させる画素群表示制御部１３と、
を備える構成であってよい。
【０１２９】
上記構成によれば、画素群決定部１１は、立体映像が表示される３次元画素群、及び２Ｄ映像が表示される２次元画素群を決定する。これは、例えば第１の視線方向へは３Ｄ映像を表示させ、第１の視線方向とは異なる第２の視線方向へは２Ｄ映像を表示させるという設定にしたがい、画素群決定部１１が、３次元画素群および２次元画素群を決定する。
【０１３０】
そして、画素群表示制御部１３は、右目用映像および左目用映像を３次元画素群に表示させ、右目用映像または左目用映像を２次元画素群に表示させることにより、複数の観賞者は、３Ｄ映像または２Ｄ映像を観賞することが可能となる。
【０１３１】
このようにして、表示制御部１０は、右目用映像および左目用映像からなる３Ｄ映像を観賞したい人と右目用映像または左目用映像からなる２Ｄ映像を観賞したい人とが混在するような場合に、複数の観賞者それぞれに対して異なる表示態様の映像を観賞させることができ、複数の観賞者の要求を同時に満足させることができるという効果を奏する。
【０１３２】
また、表示装置１（２）では、
３次元画素群の輝度を、視差バリア１０８を用いることなく右目用映像および左目用映像を表示するときの当該３次元画素群の輝度よりも高くする輝度制御部を備える構成であってよい。
【０１３３】
表示装置１（２）では、表示部６０の複数の画素が３次元画素群と２次元画素群とに分かれ、かつ、３次元画素群および２次元画素群では、それぞれ表示制御された個別の映像が表示されることから、各画素群における光量は、通常の表示状態（視差バリア１０８を用いない表示状態）に比べて低下する。しかも、３Ｄ映像の観賞者は、液晶シャッターメガネ７０を介して３Ｄ映像を観賞するため、液晶シャッターメガネ７０の構造によっては光透過率が低くなり、３Ｄ映像の観賞者が感じる光量はさらに低下する。このことは、液晶シャッターメガネ７０によって分離される視線方向が増えるほど顕著になる。
【０１３４】
しかしながら、表示装置１（２）では、輝度制御部が、３次元画素群の輝度を、視差バリア１０８を用いることなく右目用映像および左目用映像を表示するときの当該３次元画素群の輝度よりも高くする。これにより、３Ｄ映像の観賞者が感じる光量を高めることができ、観賞者が受ける違和感をなくすことができるという効果を奏する。
【０１３５】
また、表示装置１（２）では、
輝度制御部２１は、自装置のバックライトの輝度を高くする構成であってよい。
【０１３６】
上記構成によれば、輝度制御部２１は、自装置のバックライトの輝度を高くする。したがって、３次元画素群の輝度を高くすることができるため、３Ｄ映像の観賞者が感じる光量を高めることができ、観賞者が受ける違和感をなくすことができるという効果を奏する。
【０１３７】
また、表示装置１（２）では、
２次元画素群における光の透過率を、視差バリア１０８を用いることなく右目用映像または左目用映像を当該２次元画素群に表示するときの光量と略等しくなるように低下させる光透過率制御部２２を備える構成であってよい。
【０１３８】
上述したように輝度制御部が３次元画素群の輝度を高くすることで、２次元画素群の光量が増加するケースも出てくる。たとえば、輝度制御部２１がバックライトの輝度を上げたとき、２次元画素群においても同じバックライトを用いることから、２Ｄ映像の観賞者にとっては光量が増加しすぎることになる。
【０１３９】
しかしながら、表示装置１（２）では、光透過率制御部２２が、２次元画素群における光の透過率を、視差バリア１０８を用いることなく右目用映像または左目用映像を当該２次元画素群に表示するときの光量と略等しくなるように低下させる。したがって、２次元画素群の光量を低くすることができるため、２Ｄ映像の観賞者が感じる光量を下げることができ、観賞者が受ける違和感をなくすことができるという効果を奏する。
【０１４０】
また、表示装置１（２）では、
画素群表示制御部１３は、２次元画素群に表示される右目用映像または左目用映像に、当該右目用映像または当該左目用映像よりも輝度の低い低輝度映像を挿入して２次元画素群に表示させる構成であってよい。
【０１４１】
上記構成とすることにより、右目用映像または左目用映像に低輝度映像を挿入した映像が２次元画素群に表示されるため、２次元画素群の輝度を平均的に低くすることができる。したがって、２Ｄ映像の観賞者が感じる光量を低下させることができ、当該観賞者が受ける違和感をなくすことができるという効果を奏する。
【０１４２】
なお、上記では「低輝度映像」と説明しているが、映像そのものである必要はなく、右目用映像または左目用映像よりも輝度の低い状態を作り出すことができるのであれば、構成はいかなる態様で実現されてもよい。
【０１４３】
また、表示装置１（２）では、
輝度制御部は、３次元画素群の輝度を高くする構成であってよい。
【０１４４】
上記構成により、輝度制御部は３次元画素群自体の輝度を高くするため、３Ｄ映像の観賞者が感じる光量を高めることができ、観賞者が受ける違和感をなくすことができるという効果を奏する。
【０１４５】
また、表示装置１（２）では、
２次元画素群の輝度を、視差バリア１０８を用いることなく右目用映像または左目用映像を当該２次元画素群に表示するときの光量と略等しくなるように低下させる輝度制御部２３を備える構成であってよい。
【０１４６】
上述したように輝度制御部が３次元画素群の輝度を高くすることで、２次元画素群の光量が増加し、２Ｄ映像の観賞者にとっては光量が増加しすぎること場合も出てくる。
【０１４７】
そこで、輝度制御部２３が、２次元画素群の輝度を、視差バリア１０８を用いることなく右目用映像または左目用映像を当該２次元画素群に表示するときの光量と略等しくなるように低下させることにより、２次元画素群の輝度をすることができる。これにより、２Ｄ映像の観賞者が感じる光量を低下させることができ、当該観賞者が受ける違和感をなくすことができるという効果を奏する。
【０１４８】
また、表示装置１（２）では、
液晶シャッターメガネ７０が、右目用液晶シャッターおよび左目用液晶シャッターを有するときに、
画素群表示制御部１３が３次元画素群に右目用映像を表示させる表示タイミングと、右目用液晶シャッターを開、左目用液晶シャッターを閉とするシャッター開閉タイミングとを同期させ、かつ、画素群表示制御部１３が３次元画素群に左目用映像を表示させる表示タイミングと、右目用液晶シャッターを閉、左目用液晶シャッターを開とするシャッター開閉タイミングとを同期させる同期制御部３０を備える構成であってよい。
【０１４９】
上記構成によれば、同期制御部３０は、画素群表示制御部１３が３次元画素群に右目用映像または左目用映像を表示させる表示タイミングと、液晶シャッターメガネのシャッター開閉タイミングを好適に同期させることが可能である。
【０１５０】
したがって、観賞者は、液晶シャッターメガネ７０を介して、３次元画素群に表示される３Ｄ映像を確実に観賞することができる。
【０１５１】
また、表示装置１（２）では、
画素群決定部１１は、操作部８０を介した観賞者による入力操作に基づき、３次元画素群および２次元画素群を決定する構成であってよい。
【０１５２】
複数の観賞者が存在し、視差映像（２Ｄ映像）を観賞したい人と立体映像（３Ｄ映像）を観賞したい人とが混在するような場合に、視差映像および立体映像が表示される視線方向を変更・確認したい場合もありえる。
【０１５３】
このようなとき、画素群決定部１１は、操作部８０を介した観賞者による入力操作に基づき、３次元画素群および２次元画素群を決定する。したがって、立体映像（３Ｄ映像）を観賞したい人に対しては視線方向を表示装置１（２）の右側へ、視差映像（２Ｄ映像）を観賞したい人に対しては視線方向を表示装置１（２）の左側へ変更するといった実施態様を実現することができ、より利便性の高い表示装置を実現することができる。
【０１５４】
また、表示装置１（２）では、
視差バリア１０８は、表示部６０に対して着脱可能に設けられている構成であってよい。
【０１５５】
視差バリア１０８が表示部６０に対して着脱可能に設けられていることにより、観賞者は、２Ｄ映像のみを観賞したいとき、または３Ｄ映像のみを観賞したいときに視差バリア１０８を取り外せばよく、迅速かつ確実に観賞者の希望に沿う映像表示態様を実現することができる。
【０１５６】
なお、本発明に係る表示制御方法は、コンピュータによって実現してもよく、この場合には、コンピュータを処理として動作させることにより表示制御方法をコンピュータにて実現させる表示制御プログラム、およびそれを記録したコンピュータ読み取り可能な記録媒体も、本発明の範疇に入る。
【０１５７】
最後に、表示装置１・２の各ブロック、特に、画素群決定部１１、映像信号生成部１２および画素群表示制御部１３は、ハードウェアロジックによって構成してもよいし、次のようにＣＰＵを用いてソフトウェアによって実現してもよい。
【０１５８】
すなわち、表示装置１・２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置１・２の制御プログラムのプログラムコード（実行形式プログラム、中間コードプログラム、ソースプログラム）をコンピュータで読み取り可能に記録した記録媒体を、表示装置１・２に供給し、そのコンピュータ（またはＣＰＵやＭＰＵ）が記録媒体に記録されているプログラムコードを読み出し実行することによっても、達成可能である。
【０１５９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６０】
また、表示装置１・２を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
〔その他〕
本発明に係る表示装置は、表示画面に連動して、左右の目各々における視認可否の切り替えを行う手段が設けられた視覚制御機構を透して表示画面を視聴する視聴者の左右の目の視差を利用した３Ｄ映像表示装置であって、視線分離手段（視差バリア）と、上記視線分離手段によって分離される各視線に向けて表示する画像を個別に制御する手段とを有する構成であってもよい。
【０１６１】
また、本発明に係る表示装置は、上記視線分離手段を用いて３Ｄ映像表示をする場合は、上記視線分離手段を用いることなく３Ｄ映像表示する場合に比べて、３Ｄ映像表示の輝度を上げる手段を有する構成であってもよい。
【０１６２】
また、本発明に係る表示装置は、液晶が設けられている３Ｄ映像表示装置であって、上記輝度を上げる手段が、画像表示用のバックライトの輝度を上げる制御を行う構成であってよい。
【０１６３】
また、本発明に係る表示装置は、画像表示のための自発光素子が設けられている３Ｄ映像表示装置であって、上記輝度を上げる手段が、３Ｄ画像表示用のピクセル自体の輝度を上げる制御を行う構成であってよい。
【０１６４】
また、本発明に係る表示装置は、上記視線分離手段を用いて２Ｄ映像表示をする場合は、上記視線分離手段を用いることなく２Ｄ映像表示する場合と略等しい光量となるように、２Ｄ表示用のピクセルのドットの透過率を低下させる制御を行う構成であってよい。
【０１６５】
また、本発明に係る表示装置は、上記視線分離手段を用いて２Ｄ映像表示をする場合は、上記視線分離手段を用いることなく２Ｄ映像表示する場合と略等しい光量となるように、２Ｄ表示用のピクセルの輝度を上げる制御を行う構成であってよい。
【０１６６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１６７】
また、本発明に係る表示装置は、種々の用途に適用することができ、例えば、家庭等のテレビ、自動車の運転席・助手席に対して異なる映像を表示するカーナビゲーション、携帯電話、ＰＤＡ（Personal Digital Assistants：個人向け携帯型情報通信機器）、ＰＣ、テレビ受信機等の身近な機器に限らず、計測機器、医療機器、産業機器等に適用することができる。
【産業上の利用可能性】
【０１６８】
本発明は、左右の目の視認可否を切り替える視認切替機構を介して観賞者に立体映像を観賞させる表示装置において、視差バリア等の映像分離手段を用いて、複数の観賞者それぞれに対して異なる表示態様の映像を観賞させることが可能な表示装置に関し、液晶表示装置、またはプラズマ等の自発光型表示装置に好適に適用することができる。
【符号の説明】
【０１６９】
１・２  表示装置
５      制御部
１０    表示制御部（表示制御手段）
１１    画素群決定部（画素群決定手段）
１２    映像信号生成部（映像信号生成手段）
１３    画素群表示制御部（画素群表示制御手段）
２０    光量制御部
２１    輝度制御部（第１輝度制御手段）
２２    光透過率制御部（光透過率制御手段）
２３    輝度制御部（第２輝度制御手段）
３０    同期制御部（同期制御手段）
４０    コンテンツ受信部
５０    命令信号出力部
６０    表示部
７０・７０Ａ・７０Ｂ  液晶シャッターメガネ（視認切替機構）
８０    操作部
９０    記録再生装置
９５    中継器
１００  液晶パネル
１０１  バックライト
１０２・１０３  偏光板
１０４  ＴＦＴ基板
１０５  液晶層
１０６  カラーフィルタ基板
１０７  ガラス基板
１０８  視差バリア（視線方向分離部）
【図１】
2012039443.tif 000003
【図２】
2012039443.tif 000004
【図３】
2012039443.tif 000005
【図４】
2012039443.tif 000006
【図５】
2012039443.tif 000007
【図６】
2012039443.tif 000008
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
観賞者の左右の目の視差を利用した３次元映像と、２次元映像の表示が可能な表示装置であって、
自動または観賞者による入力操作によって上記表示装置の表示部の画素のうち、３次元映像用の３次元画素群と２次元映像用の２次元画素群とをそれぞれ決定する画素決定手段と、
上記３次元画素群および２次元画素群をそれぞれ表示制御する画素群表示制御手段と、
パララックス方式またはレンティキュラ方式の視差バリアと、
を備えることを特徴とする表示装置。
【請求項２】
２次元映像および３次元映像を表示する際に、バックライト輝度を高くするとともに、２次元画素群の光透過率を下げる光量制御手段を有することを特徴とする請求項１に記載の表示装置。
【請求項３】
観賞者の左右の目の視差を利用した視差映像を表示し、左右の目の視認可否を切り替える視認切替機構を介して観賞者に立体映像を観賞させる表示装置であって、
表示部に表示される視差映像を複数の視線方向に分離して表示させる視線方向分離部と、
上記視線方向分離部によって分離された各視線方向に向けて表示される視差映像を、視線方向毎に表示制御し、上記視認切替機構を介した立体映像の観賞を可能にする表示制御手段と、を備えることを特徴とする表示装置。
【請求項４】
上記表示部は、複数の画素を有しており、
上記表示制御手段は、上記複数の視線方向のうち、同一の視線方向に対応付けられた画素群ごとに、その画素群に表示される視差映像を表示制御することを特徴とする請求項３に記載の表示装置。
【請求項５】
上記表示制御手段は、上記画素群のうち、第１の視線方向に対応付けられた画素群では、視差映像である右目用映像および左目用映像を交互に表示させ、上記第１の視線方向とは異なる第２の視線方向に対応付けられた画素群では、上記右目用映像または上記左目用映像を表示させることを特徴とする請求項４に記載の表示装置。
【請求項６】
上記表示制御手段は、
上記画素群のうち、上記右目用映像および上記左目用映像が交互に表示される画素群である３次元画素群、及び上記右目用映像または上記左目用映像が表示される画素群である２次元画素群をそれぞれ決定する画素群決定手段と、
上記右目用映像および上記左目用映像を上記３次元画素群に表示させ、上記右目用映像または上記左目用映像を上記２次元画素群に表示させる画素群表示制御手段と、
を備えることを特徴とする請求項５に記載の表示装置。
【請求項７】
上記３次元画素群の輝度を、上記視線方向分離部を用いることなく上記右目用映像および上記左目用映像を表示するときの当該３次元画素群の輝度よりも高くする第１輝度制御手段を備えることを特徴とする請求項６に記載の表示装置。
【請求項８】
上記第１輝度制御手段は、自装置のバックライトの輝度を高くすることを特徴とする請求項７に記載の表示装置。
【請求項９】
上記２次元画素群における光の透過率を、上記視線方向分離部を用いることなく上記右目用映像または上記左目用映像を当該２次元画素群に表示するときの光量と略等しくなるように低下させる光透過率制御手段を備えることを特徴とする請求項７または８に記載の表示装置。
【請求項１０】
上記画素群表示制御手段は、上記２次元画素群に表示される上記右目用映像または上記左目用映像に、当該右目用映像または当該左目用映像よりも輝度の低い低輝度映像を挿入して上記２次元画素群に表示させることを特徴とする請求項７から９の何れか１項に記載の表示装置。
【請求項１１】
上記第１輝度制御手段は、上記３次元画素群の輝度を高くすることを特徴とする請求項７に記載の表示装置。
【請求項１２】
上記２次元画素群の輝度を、上記視線方向分離部を用いることなく上記右目用映像または上記左目用映像を当該２次元画素群に表示するときの光量と略等しくなるように低下させる第２輝度制御手段を備えることを特徴とする請求項７から１１の何れか１項に記載の表示装置。
【請求項１３】
上記視認切替機構が、右目用液晶シャッターおよび左目用液晶シャッターを有する液晶シャッターメガネであるときに、
上記画素群表示制御手段が上記３次元画素群に上記右目用映像を表示させる表示タイミングと、上記右目用液晶シャッターを開、上記左目用液晶シャッターを閉とするシャッター開閉タイミングとを同期させ、かつ、上記画素群表示制御手段が上記３次元画素群に上記左目用映像を表示させる表示タイミングと、上記右目用液晶シャッターを閉、上記左目用液晶シャッターを開とするシャッター開閉タイミングとを同期させる同期制御手段を備えることを特徴とする請求項６から１１の何れか１項に記載の表示装置。
【請求項１４】
上記画素群決定手段は、操作部を介した上記観賞者による入力操作に基づき、上記３次元画素群および上記２次元画素群を決定することを特徴とする請求項６から１２の何れか１項に記載の表示装置。
【請求項１５】
上記視線方向分離部は、上記表示部に対して着脱可能に設けられていることを特徴とする請求項３から１３の何れか１項に記載の表示装置。
【請求項１６】
観賞者の左右の目の視差を利用した視差映像を表示し、左右の目の視認可否を切り替える視認切替機構を介して観賞者に立体映像を観賞させる表示制御方法であって、
表示装置に設けられた表示部に表示される視差映像を、当該表示装置に設けられた視線方向分離部により複数の視線方向に分離して表示し、
上記視線方向分離部によって分離された各視線方向に向けて表示される視差映像を、視線方向毎に表示制御することで、上記視認切替機構を介した立体映像の観賞を可能にすることを特徴とする表示制御方法。
【請求項１７】
請求項１６に記載の表示制御方法における、視差映像を視線方向毎に表示制御する処理を、コンピュータに実行させるための表示制御プログラム。
【請求項１８】
請求項１７に記載の表示制御プログラムを記録したコンピュータ読み取り可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、左右の目の視認可否を切り替える視認切替機構を介して観賞者に立体映像を観賞させる表示装置において、視差バリア等の映像分離手段を用いて、複数の観賞者それぞれに対して異なる表示態様の映像を観賞させることが可能な表示装置、表示制御方法、表示制御プログラム、及びコンピュータ読み取り可能な記録媒体に関する。
【背景技術】
【０００２】
近年、３Ｄ映像の観賞方法等の研究が盛んになっている。一般的に、観賞者は、３Ｄ映像を観賞するときには、液晶シャッターメガネを装着して、３Ｄ映像専用の右目用映像および左目用映像をそれぞれ右目および左目で観賞する。これは、左右の目の視差を利用することで立体視が可能になるという原理を利用したものであり、このような従来の３Ｄ映像表示技術の一例として、特許文献１には、液晶シャッターメガネを介して立体視を行うことを可能とする立体視用画像表示装置が開示されている。
【０００３】
このような３Ｄ映像表示技術は、３Ｄモバイルハンドセット、３Ｄゲーム、３Ｄコンピュータモニタ、３Ｄラップトップディスプレイ、３Ｄワークステーション、および３Ｄプロフェッショナル画像処理（例えば、医療、設計、または建築等）等に適用することができる。
【０００４】
また、別の技術として、視差バリアを介して、複数の視聴者が同一のディスプレイから異なる動画像を観賞することが可能な表示装置も開発されている。その一例として、特許文献２には、視差バリアを用いて、異なる視線方向に向けて個別の映像を表示することが可能なマルチビュー表示装置が開示されている。
【０００５】
このようなマルチビュー表示装置は、自動車の運転席・助手席に対して異なる映像を表示するカーナビゲーション、携帯電話、ＰＤＡ（Personal Digital Assistants：個人向け携帯型情報通信機器）、ＰＣ、テレビ受信機等の身近な機器に限らず、計測機器、医療機器、産業機器等に適用することができる。
【０００６】
このように、近年の映像表示技術の発展により、様々な映像観賞態様が観賞者に提供されるようになっている。
【先行技術文献】
【特許文献】
【０００７】
【特許文献１】特開昭６２  −６１４９３号公報（１９８７年３月１８日公開）
【特許文献２】特開２００７−４１４９０号公報（２００７年２月１５日公開）
【発明の概要】
【発明が解決しようとする課題】
【０００８】
しかしながら、特許文献１、２の技術には次のような問題がある。
【０００９】
すなわち、従来は、特許文献１、２の技術を用いたとしても、２Ｄ映像および３Ｄ映像の何れか一方しか表示装置に表示することができなかった。このため、従来の表示装置では、視差バリアを介して、２Ｄ映像および３Ｄ映像の両方を同時に観賞させることができなかった。
【００１０】
本願発明は、上記従来の問題点に鑑みなされたものであって、その目的は、２Ｄ映像および３Ｄ映像の同時表示が可能な表示装置、表示制御方法、表示制御プログラム、及びコンピュータ読み取り可能な記録媒体を実現することにある。
【課題を解決するための手段】
【００１１】
本発明に係る表示装置は、上記の課題を解決するために、観賞者の左右の目の視差を利用した３次元映像と、２次元映像の表示が可能な表示装置であって、自動または観賞者による入力操作によって上記表示装置の表示部の画素のうち、３次元映像用の３次元画素群と２次元映像用の２次元画素群とをそれぞれ決定する画素決定手段と、上記３次元画素群および２次元画素群をそれぞれ表示制御する画素群表示制御手段と、パララックス方式またはレンティキュラ方式の視差バリアと、を備えることを特徴としている。
【００１２】
上記構成によれば、画素群表示制御手段が上記３次元画素群および２次元画素群をそれぞれ表示制御するため、本発明に係る表示装置は、３次元映像および２次元映像を同時に表示することが可能となる。
【００１３】
本発明に係る表示装置は、上記の課題を解決するために、観賞者の左右の目の視差を利用した視差映像を表示し、左右の目の視認可否を切り替える視認切替機構を介して観賞者に立体映像を観賞させる表示装置であって、表示部に表示される視差映像を複数の視線方向に分離して表示させる視線方向分離部と、上記視線方向分離部によって分離された各視線方向に向けて表示される視差映像を、視線方向毎に表示制御し、上記視認切替機構を介した立体映像の観賞を可能にする表示制御手段と、を備えることを特徴としている。
【００１４】
本発明に係る表示制御方法は、上記の課題を解決するために、観賞者の左右の目の視差を利用した視差映像を表示し、左右の目の視認可否を切り替える視認切替機構を介して観賞者に立体映像を観賞させる表示制御方法であって、表示装置に設けられた表示部に表示される視差映像を、当該表示装置に設けられた視線方向分離部により複数の視線方向に分離して表示し、上記視線方向分離部によって分離された各視線方向に向けて表示される視差映像を、視線方向毎に表示制御することで、上記視認切替機構を介した立体映像の観賞を可能にすることを特徴としている。
【００１５】
上記構成によれば、視線方向分離部は、表示部に表示される視差映像を、複数の視線方向に分離して表示させる。このとき、表示制御手段は、上記視線方向分離部によって分離された各視線方向に向けて表示される視差映像を、視線方向毎に表示制御する。したがって、表示制御手段は、観賞者に対して、視認切替機構を介することなく視差映像を観賞させる観賞態様に加え、視認切替機構を介して立体映像を観賞させる観賞態様をも可能にする。
【００１６】
このように、本発明に係る表示装置（表示制御方法）は、従来の課題、すなわち、左右の目の視差を利用した立体映像を表示することが可能な表示装置であって、かつ視差バリア等の視線方向分離部を備えた表示装置が存在しなかったという課題を解決することができる。加えて、複数の観賞者が存在し、視差映像（２Ｄ映像）を観賞したい人と立体映像（３Ｄ映像）を観賞したい人とが混在するような場合に、複数の観賞者それぞれに対して異なる表示態様の映像を観賞させることができるため、上記複数の観賞者の要求を同時に満足させることもできる。
【００１７】
なお、本発明に係る表示装置（表示制御方法）では、視線方向分離部は、表示部に表示される視差映像を、複数の視線方向に分離して表示させるため、観賞者が３人以上であっても、各々の観賞者が希望する観賞態様を同時に実現することができ、この点においてもさらに利便性の高い表示装置を実現している。
【００１８】
また、本発明に係る表示装置では、２次元映像および３次元映像を表示する際に、バックライト輝度を高くするとともに、２次元画素群の光透過率を下げる光量制御手段を有する構成であってよい。
【００１９】
また、本発明に係る表示装置では、上記表示部は、複数の画素を有しており、上記表示制御手段は、上記複数の視線方向のうち、同一の視線方向に対応付けられた画素群ごとに、その画素群に表示される視差映像を表示制御する構成であってよい。
【００２０】
上記構成によれば、同一の視線方向に対応付けられた画素群ごとに視差映像が表示制御される。したがって、画素群ごとの表示制御によって、同一の視線方向に対して同一の表示態様（３Ｄ映像／２Ｄ映像）に係る映像が表示されるため、観賞者が希望しない観賞態様を確実に排除することができる。例えば、観賞者が２Ｄ映像の観賞を希望しているときには、同一の視線方向に対応付けられた画素群には２Ｄ映像のみが表示され、その視線方向には３Ｄ映像は表示されない。したがって、その視線方向に位置する観賞者に３Ｄ酔いを起こさせることもなく、観賞者に安心感を与えるという効果を奏する。
【００２１】
また、本発明に係る表示装置では、上記表示制御手段は、上記画素群のうち、第１の視線方向に対応付けられた画素群では、視差映像である右目用映像および左目用映像を交互に表示させ、上記第１の視線方向とは異なる第２の視線方向に対応付けられた画素群では、上記右目用映像または上記左目用映像を表示させる構成であってよい。
【００２２】
一般に、観賞者の左右の目の視差を利用した視差映像である右目用映像および左目用映像を交互に表示することにより３Ｄ映像表示が実現する。また、その右目用映像および左目用映像の何れかのみを表示すると、従来の２Ｄ映像が実現する。
【００２３】
したがって、表示制御手段が、第１の視線方向に対応付けられた画素群では、視差映像である右目用映像および左目用映像を交互に表示させることで立体映像表示を実現し、上記第１の視線方向とは異なる第２の視線方向に対応付けられた画素群では、右目用映像および左目用映像の何れかのみを表示させることで２Ｄ映像表示を実現することができる。
【００２４】
それゆえ、上記構成とすることにより、視差映像（２Ｄ映像）を観賞したい人と立体映像（３Ｄ映像）を観賞したい人とが混在するような場合に、複数の観賞者それぞれに対して異なる表示態様の映像を確実に観賞させることができる。
【００２５】
また、本発明に係る表示装置では、上記表示制御手段は、上記画素群のうち、上記右目用映像および上記左目用映像が交互に表示される画素群である３次元画素群、及び上記右目用映像または上記左目用映像が表示される画素群である２次元画素群をそれぞれ決定する画素群決定手段と、上記右目用映像および上記左目用映像を上記３次元画素群に表示させ、上記右目用映像または上記左目用映像を上記２次元画素群に表示させる画素群表示制御手段と、を備える構成であってよい。
【００２６】
上記構成によれば、画素群決定手段は、立体映像が表示される３次元画素群、及び２Ｄ映像が表示される２次元画素群を決定する。これは、例えば第１の視線方向へは３Ｄ映像を表示させ、第１の視線方向とは異なる第２の視線方向へは２Ｄ映像を表示させるという設定にしたがい、画素群決定手段が、３次元画素群および２次元画素群を決定する。
【００２７】
そして、画素群表示制御手段は、上記右目用映像および上記左目用映像を上記３次元画素群に表示させ、上記右目用映像または上記左目用映像を上記２次元画素群に表示させることにより、複数の観賞者はそれぞれ、３Ｄ映像および２Ｄ映像を観賞することが可能となる。
【００２８】
このようにして、上記表示制御手段は、上記右目用映像および上記左目用映像からなる３Ｄ映像を観賞したい人と上記右目用映像または上記左目用映像からなる２Ｄ映像を観賞したい人とが混在するような場合に、複数の観賞者それぞれに対して異なる表示態様の映像を観賞させることができ、上記複数の観賞者の要求を同時に満足させることができるという効果を奏する。
【００２９】
また、本発明に係る表示装置では、上記３次元画素群の輝度を、上記視線方向分離部を用いることなく上記右目用映像および上記左目用映像を表示するときの当該３次元画素群の輝度よりも高くする第１輝度制御手段を備える構成であってよい。
【００３０】
本発明に係る表示装置では、表示部の複数の画素が３次元画素群と２次元画素群とに分かれ、かつ、３次元画素群および２次元画素群では、それぞれ表示制御された個別の映像が表示されることから、各画素群における光量は、通常の表示状態（視線方向分離部を用いない表示状態）に比べて低下する。しかも、３Ｄ映像の観賞者は、視認切替機構を介して３Ｄ映像を観賞するため、視認切替機構の構造によっては光透過率が低くなり、３Ｄ映像の観賞者が感じる光量はさらに低下する。このことは、視認切替機構によって分離される視線方向が増えるほど顕著になる。
【００３１】
しかしながら、本発明に係る表示装置では、第１輝度制御手段が、上記３次元画素群の輝度を、上記視線方向分離部を用いることなく上記右目用映像および上記左目用映像を表示するときの当該３次元画素群の輝度よりも高くする。これにより、３Ｄ映像の観賞者が感じる光量を高めることができ、観賞者が受ける違和感をなくすことができるという効果を奏する。
【００３２】
また、本発明に係る表示装置では、上記第１輝度制御手段は、自装置のバックライトの輝度を高くする構成であってよい。
【００３３】
上記構成によれば、第１輝度制御手段は、自装置のバックライトの輝度を高くする。したがって、３次元画素群の輝度を高くすることができるため、３Ｄ映像の観賞者が感じる光量を高めることができ、観賞者が受ける違和感をなくすことができるという効果を奏する。
【００３４】
また、本発明に係る表示装置では、上記２次元画素群における光の透過率を、上記視線方向分離部を用いることなく上記右目用映像または上記左目用映像を当該２次元画素群に表示するときの光量と略等しくなるように低下させる光透過率制御手段を備える構成であってよい。
【００３５】
上述したように第１輝度制御手段が３次元画素群の輝度を高くすることで、２次元画素群の光量が増加するケースも出てくる。たとえば、第１輝度制御手段がバックライトの輝度を上げたとき、２次元画素群においても同じバックライトを用いることから、２Ｄ映像の観賞者にとっては光量が増加しすぎることになる。
【００３６】
しかしながら、本発明に係る表示装置では、光透過率制御手段が、上記２次元画素群における光の透過率を、上記視線方向分離部を用いることなく上記右目用映像または上記左目用映像を当該２次元画素群に表示するときの光量と略等しくなるように低下させる。したがって、２次元画素群の光量を低くすることができるため、２Ｄ映像の観賞者が感じる光量を下げることができ、観賞者が受ける違和感をなくすことができるという効果を奏する。
【００３７】
また、本発明に係る表示装置では、上記画素群表示制御手段は、上記２次元画素群に表示される上記右目用映像または上記左目用映像に、当該右目用映像または当該左目用映像よりも輝度の低い低輝度映像を挿入して上記２次元画素群に表示させる構成であってよい。
【００３８】
上記構成とすることにより、上記右目用映像または上記左目用映像に上記低輝度映像を挿入した映像が上記２次元画素群に表示されるため、２次元画素群の輝度を平均的に低くすることができる。したがって、２Ｄ映像の観賞者が感じる光量を低下させることができ、当該観賞者が受ける違和感をなくすことができるという効果を奏する。
【００３９】
なお、上記では「低輝度映像」と説明しているが、映像そのものである必要はなく、上記右目用映像または上記左目用映像よりも輝度の低い状態を作り出すことができるのであれば、上記構成はいかなる態様で実現されてもよい。
【００４０】
また、本発明に係る表示装置では、上記第１輝度制御手段は、上記３次元画素群の輝度を高くする構成であってよい。
【００４１】
上記構成により、上記第１輝度制御手段は上記３次元画素群自体の輝度を高くするため、３Ｄ映像の観賞者が感じる光量を高めることができ、観賞者が受ける違和感をなくすことができるという効果を奏する。
【００４２】
また、本発明に係る表示装置では、上記２次元画素群の輝度を、上記視線方向分離部を用いることなく上記右目用映像または上記左目用映像を当該２次元画素群に表示するときの光量と略等しくなるように低下させる第２輝度制御手段を備える構成であってよい。
【００４３】
上述したように第１輝度制御手段が３次元画素群の輝度を高くすることで、２次元画素群の光量が増加し、２Ｄ映像の観賞者にとっては光量が増加しすぎること場合も出てくる。
【００４４】
そこで、第２輝度制御手段が、上記２次元画素群の輝度を、上記視線方向分離部を用いることなく上記右目用映像または上記左目用映像を当該２次元画素群に表示するときの光量と略等しくなるように低下させることにより、２次元画素群の輝度をすることができる。これにより、２Ｄ映像の観賞者が感じる光量を低下させることができ、当該観賞者が受ける違和感をなくすことができるという効果を奏する。
【００４５】
また、本発明に係る表示装置では、上記視認切替機構が、右目用液晶シャッターおよび左目用液晶シャッターを有する液晶シャッターメガネであるときに、上記画素群表示制御手段が上記３次元画素群に上記右目用映像を表示させる表示タイミングと、上記右目用液晶シャッターを開、上記左目用液晶シャッターを閉とするシャッター開閉タイミングとを同期させ、かつ、上記画素群表示制御手段が上記３次元画素群に上記左目用映像を表示させる表示タイミングと、上記右目用液晶シャッターを閉、上記左目用液晶シャッターを開とするシャッター開閉タイミングとを同期させる同期制御手段を備える構成であってよい。
【００４６】
上記構成によれば、同期制御手段は、上記画素群表示制御手段が上記３次元画素群に上記右目用映像または上記左目用映像を表示させる表示タイミングと、液晶シャッターメガネのシャッター開閉タイミングを好適に同期させることが可能である。
【００４７】
したがって、観賞者は、液晶シャッターメガネを介して、上記３次元画素群に表示される３Ｄ映像を確実に観賞することができる。
【００４８】
また、本発明に係る表示装置では、上記画素群決定手段は、操作部を介した上記観賞者による入力操作に基づき、上記３次元画素群および上記２次元画素群を決定する構成であってよい。
【００４９】
複数の観賞者が存在し、視差映像（２Ｄ映像）を観賞したい人と立体映像（３Ｄ映像）を観賞したい人とが混在するような場合に、視差映像および立体映像が表示される視線方向を変更・確認したい場合もありえる。
【００５０】
このようなとき、上記画素群決定手段は、操作部を介した上記観賞者による入力操作に基づき、上記３次元画素群および上記２次元画素群を決定する。したがって、立体映像（３Ｄ映像）を観賞したい人に対しては視線方向を表示装置の右側へ、視差映像（２Ｄ映像）を観賞したい人に対しては視線方向を表示装置の左側へ変更するといった実施態様を実現することができ、より利便性の高い表示装置を実現することができる。
【００５１】
また、本発明に係る表示装置では、上記視線方向分離部は、上記表示部に対して着脱可能に設けられている構成であってよい。
【００５２】
上記視線方向分離部が上記表示部に対して着脱可能に設けられていることにより、観賞者は、２Ｄ映像のみを観賞したいとき、または３Ｄ映像のみを観賞したいときに上記視線方向分離部を取り外せばよく、迅速かつ確実に観賞者の希望に沿う映像表示態様を実現することができる。
【００５３】
なお、上記表示制御方法は、コンピュータによって実現してもよく、この場合には、コンピュータを上記処理として動作させることにより上記表示制御方法をコンピュータにて実現させる表示制御プログラム、およびそれを記録したコンピュータ読み取り可能な記録媒体も、本発明の範疇に入る。
【発明の効果】
【００５４】
本発明に係る表示装置は、以上のように、観賞者の左右の目の視差を利用した３次元映像と、２次元映像の表示が可能な表示装置であって、自動または観賞者による入力操作によって上記表示装置の表示部の画素のうち、３次元映像用の３次元画素群と２次元映像用の２次元画素群とをそれぞれ決定する画素決定手段と、上記３次元画素群および２次元画素群をそれぞれ表示制御する画素群表示制御手段と、パララックス方式またはレンティキュラ方式の視差バリアと、を備える構成である。
【００５５】
それゆえ、２次元映像および３次元映像を同時表示することが可能な表示装置を提供することができる。
【図面の簡単な説明】
【００５６】
【図１】本実施の形態に係る表示装置の内部構成を説明するためのブロック図である。
【図２】本実施の形態に係る他の表示装置の内部構成を説明するためのブロック図である。
【図３】本実施の形態に係る表示装置を含む２Ｄ／３Ｄ映像観賞システムの概略構成図である。
【図４】本実施の形態に係る表示装置の表示部の断面図を示す。
【図５】本実施の形態に係る表示装置が、液晶シャッターメガネを装着する３Ｄ映像観賞者には３Ｄ映像を、２Ｄ映像観賞者には２Ｄ映像を観賞させる動作を示す図であり、２Ｄ映像に対して特段の処理を行わない動作を説明するための図である。
【図６】本実施の形態に係る表示装置が、液晶シャッターメガネを装着する３Ｄ映像観賞者には３Ｄ映像を、２Ｄ映像観賞者には２Ｄ映像を観賞させる動作を示す図であり、２Ｄ映像に対して画素が黒となる状況（映像）を挿入する動作を説明するための図である。
【発明を実施するための形態】
【００５７】
以下、図面を参照しつつ、本発明に係る表示装置１について説明する。以下の説明では、同一の部品および構成要素には同一の符号を付してある。また、それらの名称および機能も同じである。したがって、それらについての詳細な説明は繰り返さない。
【００５８】
〔２Ｄ／３Ｄ映像観賞システムの概略構成〕
表示装置１の説明に入る前に、表示装置１を含む２Ｄ／３Ｄ映像観賞システムを図３により説明する。図３は、表示装置１を含む２Ｄ／３Ｄ映像観賞システムの概略構成図である。
【００５９】
本実施形態に係る２Ｄ／３Ｄ映像観賞システムは、記録再生装置９０によって再生され、表示装置１において表示される視差映像を、液晶シャッターメガネ（視認切替機構）７０を装着する観賞者には３次元映像（以降、「３Ｄ映像」または「立体映像」と称する場合もある。）を、裸眼の観賞者には２次元映像（以降、「２Ｄ映像」と称する場合もある。）を観賞させるものである。ここで、視差映像とは、観賞者の左右の目の視差を利用した映像であって、３Ｄ映像専用の右目用映像および左目用映像をいう。
【００６０】
図示するように、本実施形態に係る２Ｄ／３Ｄ映像観賞システムは、おもに表示装置１と、液晶シャッターメガネ（視認切替機構）７０と、操作部８０と、記録再生装置９０と、中継器９５とを備える。
【００６１】
表示装置１は、記録再生装置９０によって再生される映像を表示するものであり、例えば、ＬＣＤ（液晶ディスプレイ）、ＰＤＰ（プラズマディスプレイパネル）、またはＣＲＴ（cathode-ray tube）ディスプレイなどである。表示装置１には、図示しない視差バリア（視線方向分離部）１０８が表示部に設けられているが、その詳細は図４により後述する。
【００６２】
液晶シャッターメガネ７０は、偏光板、液晶フィルタ、及び偏光板の三層構造を備え、液晶フィルタで２つの透過偏光光を切り替えることができるようになっている。より具体的には、液晶シャッターメガネ７０は、光の通過及び遮断を制御するシャッター駆動信号により左右眼用のシャッターを開閉させ、そのシャッター駆動信号は、表示装置１から出力される所望の映像信号のフィールド周波数に同期がとれており、かつ信号幅も映像信号に対応したものとなっている。したがって、このシャッター駆動信号によりシャッターを開閉することにより、観賞者は、複数の映像信号のうち、選択された「１つの映像信号に対応した映像」だけをシャッター開状態で見ることができ、かつ、それ以外の映像はシャッター閉状態で見ることができない、所望の映像だけを観賞することができる。
【００６３】
なお、同図では、液晶シャッターメガネ７０は、中継器９５を介して、表示装置１とケーブルを介して有線接続されている。しかしながら、液晶シャッターメガネ７０は、中継器９５、および／または、表示装置１と、無線接続されていてもよい。
【００６４】
また、同図では、中継器９５には２台の液晶シャッターメガネ７０Ａ・７０Ｂが接続されている。しかしながら、液晶シャッターメガネ７０の台数は２台に限定されず、単数、または３台以外の複数であってよい。
【００６５】
操作部８０は、観賞者が表示装置１、及び記録再生装置９０を動作させるための指示信号を入力するものであり、例えば、表示装置１を遠隔操作するリモコンや、表示装置１自体に設けられた操作ボタン、あるいは、表示装置１に接続された、マウスやキーボードなどで構成されてよい。操作部８０を用いて観賞者により入力された指示信号は、図示しない入出力制御部を介して、表示装置１、および／または、記録再生装置９０の各部に送られる。これにより、観賞者は、表示装置１、記録再生装置９０を操作することができる。
【００６６】
本実施の形態では、操作部８０は、後述する視差バリア１０８によって３Ｄ映像および／または２Ｄ映像が表示される視線方向を決定、変更、確認等するためにも用いられる。すなわち、観賞者は、操作部８０を介した入力操作により、自身が観賞したい映像の表示態様（２Ｄ／３Ｄ）、及び、その映像が表示される視線方向を表示装置１に入力することができる。
【００６７】
なお、同図では、操作部８０は１台のみ記載されている。しかしながら、表示装置１、記録再生装置９０に対してそれぞれ別々に備えられていてよい。
【００６８】
記録再生装置９０は、ＢＤ（Blu-Ray(登録商標) Disc）あるいはＤＶＤ（Digital Versatile Disc）、ＨＤＤ（Hard Disc Drive）等の情報記録媒体に記録された映像情報を再生するものであり、公知の記録再生装置であってよい。
【００６９】
なお、同図では、記録再生装置９０によって再生された映像信号が表示装置１に入力されるものとして説明している。しかしながら、記録再生装置９０ではなく、ＩＰ（Internet Protocol）ネットワークを使ってリアルタイム放送や映画などのコンテンツを配信するサービスを利用して受信した映像データに対応する映像が表示装置１に表示されてもよい。その一例として、決められた放送スケジュールにしたがって番組をリアルタイムに配信する放送タイプのサービスであるリニアＴＶ、または、受信側からの配信要求に応じて、該コンテンツ処理装置にユニキャストでコンテンツを配信するサービスであるＶｏＤ（Video on Demand）を利用して取得した映像データに対応する映像が表示装置１に表示されてもよい。
【００７０】
なお、本実施形態では、表示装置１に表示される映像は、観賞者の左右の目の視差を利用した右目用映像および左目用映像からなる３Ｄ映像、及び２Ｄ映像（上記右目用映像または上記左目用映像）であるものとして説明するが、これらに限定されるものではない。
【００７１】
中継器９５は、表示装置１、液晶シャッターメガネ７０、及び記録再生装置９０を互いに接続するためのものである。ただし、液晶シャッターメガネ７０および記録再生装置９０を表示装置１に直接接続するとき、あるいは、表示装置１と液晶シャッターメガネ７０とを無線接続にするときなどには、中継器９５は特に必要ではない。
【００７２】
〔視差バリアについて〕
次に、表示装置１の表示部に設けられる視差バリアについて図４を参照して説明する。図４は、表示装置１の表示部の断面図を示す。
【００７３】
図示するように、表示装置１の表示部には、液晶パネル１００と、バックライト１０１と、液晶パネルのバックライト側に設置された偏光板１０２と、液晶パネルの発光方向側の前面に配置された偏光板１０３と、ＴＦＴ（Thin Film Transistor）基板１０４と、液晶層１０５と、カラーフィルタ基板１０６と、ガラス基板１０７と、視差バリア１０８と、が設けられている。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２・１０３の間に挟んだ構成となっており、バックライト１０１からやや離隔して配設される。また、液晶パネル１００は、ＲＧＢ色（三原色）で構成される画素を有する。
【００７４】
液晶パネル１００の各画素に表示される映像は、視差バリア１０８によって複数の視線方向ごとに分離して表示される。同図では、表示装置１が、自動車の運転席・助手席に対して異なる映像を表示するカーナビゲーションに使用される例が記載されており、液晶パネル１００の各画素は、同図左側（助手席側）表示用と、同図右側（運転席側）表示用に分けられて表示制御されている。
【００７５】
図示するように、左側（助手席側）表示用画素は、視差バリア１０８により右側（運転席側）への表示は遮断され、左側（助手席側）からは視認可能になっている。また一方で、右側（運転席側）表示用画素は、視差バリア１０８により左側（助手席側）への表示が遮断され、右側（運転席側）からは視認可能になっている。これにより、運転者と同乗者に異なった表示が提供される。つまり、同図の例では、運転者にはナビゲーションの地図情報を与え、同時に同乗者にはＤＶＤの映画等を見せることができる。
【００７６】
なお、視差バリア１０８は、上記液晶パネルの各画素の構成を変更すれば、３方向等、複数方向に異なった画像を表示する構成も可能である。また、視差バリア１０８は、パララックス方式またはレンティキュラ方式等の様々なタイプのものであってよい。さらに、視差バリア１０８は、液晶パネル１００の各画素との位置合わせが可能であれば、表示装置１の表示部に対して着脱可能な構成で実現されてもよい。
【００７７】
〔表示装置１の内部構成について〕
次に、液晶表示装置１の内部構成を図１により説明する。図１は、表示装置１の内部構成を説明するためのブロック図である。
【００７８】
表示装置１は、液晶シャッターメガネ７０を装着する観賞者には３Ｄ映像を、裸眼の観賞者には２Ｄ映像を観賞させるための映像を表示するものである。表示装置１は、少なくとも、表示装置１の各部を統括制御する制御部５と、外部の記録再生装置９０またはＩＰネットワーク、テレビ用電波等から表示装置１で視差映像を表示するための信号（視差映像信号）を取得するコンテンツ受信部４０と、後述する同期制御部３０から受信した表示タイミング信号に基づいて、液晶シャッターメガネ７０に対して液晶シャッターメガネの開閉を命令するシャッター駆動信号を出力する命令信号出力部５０と、視差バリア１０８等を備えた表示部６０と、を備える。
【００７９】
なお、表示装置１には、有線または無線により、液晶シャッターメガネ７０と操作部８０とが通信可能に接続されているものとする。
【００８０】
コンテンツ受信部４０は、記録再生装置９０によって再生された映像信号、あるいは、ＩＰネットワークを使ってリアルタイム放送または映画などのコンテンツを配信するサービスを利用して受信した映像データ等に対応する映像信号を取得する。そして、コンテンツ受信部４０は、その映像信号を制御部５に出力する。なお、本実施の形態においては、コンテンツ受信部４０は、観賞者の左右の目の視差を利用した視差映像（右目用映像および左目用映像）を表示装置１で表示するための視差映像信号を取得するものとして説明する。
【００８１】
制御部５は、表示装置１の各部を統括制御するものであり、表示制御部（表示制御手段）１０と、光量制御部２０と、同期制御部（同期制御手段）３０とを含む。
【００８２】
表示制御部１０は、コンテンツ受信部４０から視差映像信号を取得する。そして、表示制御部１０は、液晶シャッターメガネ７０によって分離された各視線方向に向けて表示される、上記視差映像信号に基づいて表示される視差映像を、視線方向毎に表示制御することにより、液晶シャッターメガネ７０を介した３Ｄ映像（立体映像）の観賞を可能にする。このとき、表示制御部１０は、複数の視線方向のうち、同一の視線方向に対応付けられた画素群ごとに、その画素群に表示される視差映像を表示制御し、表示部６０の複数の画素のうち、第１の視線方向に対応付けられた画素群では、視差映像である右目用映像および左目用映像を交互に表示させ、第１の視線方向とは異なる第２の視線方向に対応付けられた画素群では、上記右目用映像または上記左目用映像を表示させる。
【００８３】
より具体的に説明すると、表示制御部１０は、画素群決定部（画素群決定手段）１１と、映像信号生成部（映像信号生成手段）１２と、画素群表示制御部（画素群表示制御手段）１３とを備える。
【００８４】
画素群決定部１１は、上記画素群のうち、右目用映像および左目用映像が交互に表示される画素群である３次元画素群、及び右目用映像または左目用映像が表示される画素群である２次元画素群をそれぞれ決定する。
【００８５】
具体的には、第１の視線方向へは３Ｄ映像を表示させ、第１の視線方向とは異なる第２の視線方向へは２Ｄ映像を表示させる設定に基づき、画素群決定部１１が、３次元画素群および２次元画素群を決定する。
【００８６】
なお、画素群決定部１１は、後述の操作部８０を介した観賞者による入力操作を受け付けて、３次元画素群および２次元画素群を決定することもできる。例えば、３Ｄ映像を観賞したい人に対しては視線方向を表示装置の右側へ、視差映像（２Ｄ映像）を観賞したい人に対しては視線方向を表示装置の左側へ変更するといった入力操作に基づき、３次元画素群および２次元画素群を決定することもできる。観賞者による入力操作方法、操作画面などは、公知の技術を用いて決めてよいため、ここでの詳細説明は省略する。
【００８７】
また、操作部８０を介した観賞者の入力操作がなされないときなどには、表示部６０の画素のうち、３次元画素群および２次元画素群に該当する画素が予め決められていてもよい。
【００８８】
映像信号生成部１２は、コンテンツ受信部４０から取得する、または、画素群決定部１１を介してコンテンツ受信部４０から取得する視差映像信号に基づいて、画素群決定部１１が決定した３次元画素群で視差映像を表示するための３次元映像信号と、画素群決定部１１が決定した２次元画素群で視差映像を表示するための２次元映像信号とを生成する。
【００８９】
具体的には、映像信号生成部１２は、表示部６０の有する画素数と３次元画素群および２次元画素群の画素数との割合、３次元画素群および２次元画素群の位置等に鑑み、表示装置１で視差映像を表示するための視差映像信号から、３次元画素群で視差映像を表示するための３次元映像信号、及び２次元画素群で視差映像を表示するための２次元映像信号を生成する。
【００９０】
例えば、視差バリア１０８により２つの視線方向に等分離して映像を表示する場合、３次元画素群および２次元画素群で映像表示するときに必要な画素数は、視差バリア１０８を用いない通常の映像表示に比べてそれぞれ半分となる。したがって、このとき映像信号生成部１２は、表示部６０の左右方向（重力方向に対して垂直な方向）における総画素数がそれぞれ半分となるように、３次元画素群および２次元画素群で視差映像を表示するための３次元映像信号および２次元映像信号を生成する。その後、映像信号生成部１２は、３次元映像信号および２次元映像信号を画素群表示制御部１３に出力する。
【００９１】
画素群表示制御部１３は、映像信号生成部１２が生成した３次元映像信号にしたがって、右目用映像および上記左目用映像を３次元画素群に表示させ、映像信号生成部１２が生成した上記２次元映像信号にしたがって、右目用映像または左目用映像を２次元画素群に表示させる。
【００９２】
続いて、光量制御部２０は、輝度制御部（第１輝度制御手段）２１と、光透過率制御部（光透過率制御手段）２２とを有する。
【００９３】
輝度制御部２１は、表示装置１が備えるバックライトの輝度を制御するためのものである。表示装置１では、表示部６０の複数の画素が３次元画素群と２次元画素群とに分かれ、かつ、３次元画素群および２次元画素群では、それぞれ表示制御された個別の映像が表示されることから、各画素群における光量は、通常の表示状態（視差バリア１０８を用いない表示状態）に比べて低下する。また、３Ｄ映像の観賞者は、液晶シャッターメガネ７０を介して３Ｄ映像を観賞するため、液晶シャッターメガネ７０によっては光透過率が低くなり、３Ｄ映像の観賞者が感じる光量はさらに低下する。このことは、視差バリア１０８によって分離される視線方向が増えるほど顕著になる。
【００９４】
そこで、輝度制御部２１が表示装置１が備えるバックライトの輝度を高くする制御を行うことにより、３Ｄ映像の観賞者が感じる光量を高めている。
【００９５】
なお、輝度制御部２１は、表示制御部１０からバックライトの輝度を高くする旨の命令を受け、その命令にしたがいバックライトの輝度を高くすればよい。あるいは、輝度制御部２１は、視差バリア１０８によって分離される視線方向の数に応じて、バックライトの輝度を高くする制御を行えばよい。
【００９６】
光透過率制御部２２は、２次元画素群における光の透過率を制御するためのものである。具体的には、輝度制御部２１が３次元画素群の輝度を制御することで、２次元画素群の光量が増加するケースも出てくる。たとえば、輝度制御部２１がバックライトの輝度を上げたとき、２次元画素群においても同じバックライトを用いることから、２Ｄ映像の観賞者にとっては光量が増加しすぎることになる。
【００９７】
そこで、光透過率制御部２２が、２次元画素群における光の透過率を、視差バリア１０８を用いることなく右目用映像または左目用映像を当該２次元画素群に表示するときの光量と略等しくなるように低下させることにより、２Ｄ映像の観賞者が感じる光量を低下させることができる。
【００９８】
なお、光透過率制御部２２は、輝度制御部２１がバックライトの輝度を高くするときに、２次元画素群における光の透過率を下げればよい。あるいは、光透過率制御部２２は、輝度制御部２１によって制御されるバックライトの輝度レベルの上下変動に合わせて、２次元画素群における光の透過率を下げる制御を行えばよい。
【００９９】
同期制御部３０は、画素群表示制御部１３が右目用映像を３次元画素群に表示させる表示タイミングと、液晶シャッターメガネ７０の右目用液晶シャッターを開、左目用液晶シャッターを閉とするシャッター開閉タイミングとを同期させる。また、同期制御部３０は、画素群表示制御部１３が左目用映像を３次元画素群に表示させる表示タイミングと、液晶シャッターメガネ７０の右目用液晶シャッターを閉、左目用液晶シャッターを開とするシャッター開閉タイミングとを同期させる。これは、同期制御部３０が、表示制御部１０から、３次元画素群に右目用映像および左目用映像を表示させる表示タイミングを示す表示タイミング信号を受け付け、その表示タイミングに同期するように、液晶シャッターメガネ７０の右目用液晶シャッター及び左目用液晶シャッターを開閉する命令を命令信号出力部５０に出力することでなされる。
【０１００】
命令信号出力部５０は、液晶シャッターメガネ７０に対して、同期制御部３０から取得した表示タイミング信号に基づいて右目用液晶シャッター及び左目用液晶シャッターを開閉するよう命令するシャッター駆動信号を出力する。そして、液晶シャッターメガネ７０は、上記シャッター駆動信号に基づいて、画素群表示制御部１３が３次元画素群に右目用映像を表示させる表示タイミングと同期して、液晶シャッターメガネ７０の右目用液晶シャッターを開、左目用液晶シャッターを閉とし、かつ、画素群表示制御部１３が３次元画素群に左目用映像を表示させる表示タイミングと同期して、液晶シャッターメガネ７０の右目用液晶シャッターを閉、左目用液晶シャッターを開とする。
【０１０１】
〔表示装置２の内部構成について〕
次に、画素が自発光するプラズマ等の自発光型の表示装置２の内部構成を図２により説明する。図２は、表示装置２の内部構成を説明するためのブロック図である。なお、図１を参照して説明した内容については説明を省略する。
【０１０２】
表示装置１と表示装置２との相違点は、表示装置１の光量制御部２０には輝度制御部２１と光透過率制御部２２とが含まれるのに対して、表示装置２には光透過率制御部２２が含まれていない点が挙げられる。
【０１０３】
表示装置２では、表示部６０の複数の画素が３次元画素群と２次元画素群とに分かれ、かつ、３次元画素群および２次元画素群では、それぞれ表示制御された個別の映像が表示されることから、各画素群における光量は、通常の表示状態（視差バリア１０８を用いない表示状態）に比べて低下する。また、３Ｄ映像の観賞者は、液晶シャッターメガネ７０を介して３Ｄ映像を観賞するため、液晶シャッターメガネ７０によっては光透過率が低くなり、３Ｄ映像の観賞者が感じる光量はさらに低下する。このことは、視差バリア１０８によって分離される視線方向が増えるほど顕著になる。
【０１０４】
そこで、自発光型の表示装置２では、輝度制御部２３が、３次元画素群の輝度を上げる制御を行う。同時に、輝度制御部２３は、２次元画素群の平均的な輝度を３次元画素群の平均的な輝度よりも低くし、２次元画素群における輝度を通常の表示状態（視線方向分離部を用いない表示状態）のときの光量と略等しくする。これにより、３Ｄ映像および２Ｄ映像の観賞者がそれぞれ受ける違和感をなくしている。
【０１０５】
〔２人の観賞者が３Ｄ映像および２Ｄ映像を観賞する動作〕
次に、２人の観賞者が３Ｄ映像および２Ｄ映像をそれぞれ観賞する動作を図５、図６により説明する。図５、図６は、表示装置１が、液晶シャッターメガネ７０を装着する観賞者（以降、「３Ｄ映像観賞者」と称する場合もある。）には３Ｄ映像を、裸眼の観賞者（以降、「２Ｄ映像観賞者」と称する場合もある。）には２Ｄ映像を観賞させる動作を示す図であり、図５は、２Ｄ映像（右目用映像）に対して特段の処理を行わない動作を、図６は、２Ｄ映像（右目用映像）に画素が黒となる状況を挿入する動作をそれぞれ表す。
【０１０６】
なお、図５、図６では、３次元表示に用いることが可能な右目用映像および左目用映像が表示装置１に表示され、視差バリア１０８によって、３Ｄ映像観賞者の方向には右目用映像および左目用映像が交互に表示され、２Ｄ映像観賞者の方向には右目用映像が表示されるものとする（左目用映像であってもよい）。つまり、３Ｄ映像観賞者の方向に対応付けられた画素群（３次元画素群）には右目用映像および左目用映像が表示され、２Ｄ映像観賞者の方向に対応付けられた画素群（２次元画素群）には右目用映像が表示される。
【０１０７】
なお、このように右目用映像および左目用映像を表示装置１に表示する動作は図１等を参照して説明したため、ここでの説明は省略する。また、図５、図６では、右目用映像をＬと、左目用映像をＲと簡略化して表現している。
【０１０８】
図５に示すように、２Ｄ映像観賞者は２Ｄ映像である右目用映像を左右の裸眼で観賞し、３Ｄ映像観賞者は、液晶シャッターメガネ７０を介して、右目用映像を右目で、左目用映像を左目でそれぞれ観賞する。つまり、観賞者の左右の目の視差を利用した映像の表示が可能な表示装置１において、複数の観賞者それぞれに対して、一方には２Ｄ映像を、他方には３Ｄ映像という異なる表示態様の映像を観賞させている。
【０１０９】
ただし、図５のケースには次のような問題が内在する。
【０１１０】
すなわち、図５のケースでは、表示部の複数の画素が３次元画素群と２次元画素群とに二分され、かつ、各画素群で個別の映像が表示されることから、各画素群における光量は、通常の表示状態（視差バリア１０８を用いない表示状態）に比べて半減する。しかも、液晶シャッターメガネ７０の光透過率は低いため、３Ｄ映像観賞者が感じる光量はさらに減少する。このことは、視差バリアによって３以上の視線方向に対して個別の映像を表示する場合にさらに顕著となる。そのため、３Ｄ映像観賞者が感じる光量を高めるために、表示装置１はバックライトの輝度を上げている。
【０１１１】
しかしながら、表示装置１では、バックライトの輝度を上げることにより、２次元画素群においても同じバックライトを用いることから、２Ｄ映像観賞者にとって光量が増加しすぎることになる。
【０１１２】
そこで、２次元画素群における輝度を下げることが好ましく、その方法として、上記では光透過率制御部２２が２次元画素群の光透過率を下げる構成などを説明した。一方、図６は、その構成とは異なる方法を説明するものである。同図では、連続する右目用映像の間に画素が黒となる状況（映像）が挿入されており、これにより、２次元画素群における輝度を、２Ｄ映像観賞者にとって映像を観賞しやすいレベルにまで調整している。なお、同図では、連続する右目用映像の間に画素が黒となる状況（映像）を挿入しているが、黒でなくとも、右目用映像よりも輝度が低い状況（映像）を挿入することにより、２次元画素群における輝度を下げることができる。
【０１１３】
図６の方法は、以下の動作によって実現される。
【０１１４】
すなわち、図２において、映像信号生成部１２は、２次元画素群に表示される右目用映像または左目用映像よりも輝度の低い低輝度映像を表示するための低輝度映像信号を２次元映像信号に含める。そして、画素群表示制御部１３が、映像信号生成部１２が生成した２次元映像信号にしたがって、右目用映像または左目用映像と低輝度映像とを２次元画素群に表示させる。このとき、右目用映像または左目用映像と低輝度映像とは交互に表示されてもよいし、あるいは、任意の割合で表示部６０に表示されるようにしてもよく、２Ｄ映像観賞者が感じる光量を低下させることができるのであれば、適宜調節することができる。
【０１１５】
なお、上記では「低輝度映像」と説明しているが、映像そのものである必要はなく、右目用映像または左目用映像よりも輝度の低い状態を作り出すことができるのであれば、上記構成はいかなる態様で実現されてもよい。
【０１１６】
また、２次元画素群における輝度を下げる他の方法として、２次元画素群における光の透過率を下げる、透過率をほぼ０とする期間を設けるといった方法もあり、これらの方法によっても、２Ｄ映像観賞者が受ける違和感を軽減することができる。そして、これらの方法を適宜組み合わせて表示装置１（２）を構成することも、当然に可能である。
【０１１７】
〔表示装置１・２によって得られる効果〕
以下、表示装置１・２によって得られる効果を説明する。
【０１１８】
表示装置１（２）は、観賞者の左右の目の視差を利用した視差映像を表示し、左右の目の視認可否を切り替える液晶シャッターメガネ７０を介して観賞者に立体映像を観賞させ、表示部６０に表示される視差映像を複数の視線方向に分離して表示させる視差バリア１０８と、視差バリア１０８によって分離された各視線方向に向けて表示される視差映像を、視線方向毎に表示制御し、液晶シャッターメガネ７０を介した立体映像の観賞を可能にする表示制御部１０と、を備える。
【０１１９】
本発明に係る表示制御方法は、観賞者の左右の目の視差を利用した視差映像を表示し、左右の目の視認可否を切り替える液晶シャッターメガネ７０を介して観賞者に立体映像を観賞させ、表示装置１（２）に設けられた表示部６０に表示される視差映像を、当該表示装置１（２）に設けられた視差バリア１０８により複数の視線方向に分離して表示し、視差バリア１０８によって分離された各視線方向に向けて表示される視差映像を、視線方向毎に表示制御することで、液晶シャッターメガネ７０を介した立体映像の観賞を可能にする。
【０１２０】
上記構成によれば、視差バリア１０８は、表示部６０に表示される視差映像を、複数の視線方向に分離して表示させる。このとき、表示制御部１０は、視差バリア１０８によって分離された各視線方向に向けて表示される視差映像を、視線方向毎に表示制御する。したがって、表示制御部１０は、観賞者に対して、液晶シャッターメガネ７０を介することなく視差映像を観賞させる観賞態様に加え、液晶シャッターメガネ７０を介して立体映像を観賞させる観賞態様をも可能にする。
【０１２１】
このように、表示装置１（２）（表示制御方法）は、従来の課題、すなわち、左右の目の視差を利用した立体映像を表示することが可能であって、かつ視差バリア等の視差バリアを備えた表示装置が存在しなかったという課題を解決することができる。加えて、複数の観賞者が存在し、視差映像（２Ｄ映像）を観賞したい人と立体映像（３Ｄ映像）を観賞したい人とが混在するような場合に、複数の観賞者それぞれに対して異なる表示態様の映像を観賞させることができるため、複数の観賞者の要求を同時に満足させることもできる。
【０１２２】
なお、表示装置１（２）（表示制御方法）では、視差バリア１０８は、表示部６０に表示される視差映像を、複数の視線方向に分離して表示させるため、観賞者が３人以上であっても、各々の観賞者が希望する観賞態様を同時に実現することができ、この点においてもさらに利便性の高い表示装置を実現している。
【０１２３】
また、表示装置１（２）では、表示部６０は、複数の画素を有しており、表示制御部１０は、複数の視線方向のうち、同一の視線方向に対応付けられた画素群ごとに、その画素群に表示される視差映像を表示制御する構成であってよい。
【０１２４】
上記構成によれば、同一の視線方向に対応付けられた画素群ごとに視差映像が表示制御される。したがって、画素群ごとの表示制御によって、同一の視線方向に対して同一の表示態様（３Ｄ映像／２Ｄ映像）に係る映像が表示されるため、観賞者が希望しない観賞態様を確実に排除することができる。例えば、観賞者が２Ｄ映像の観賞を希望しているときには、同一の視線方向に対応付けられた画素群には２Ｄ映像のみが表示され、その視線方向には３Ｄ映像は表示されない。したがって、その視線方向に位置する観賞者に３Ｄ酔いを起こさせることもなく、観賞者に安心感を与えるという効果を奏する。
【０１２５】
また、表示装置１（２）では、表示制御部１０は、画素群のうち、第１の視線方向に対応付けられた画素群では、視差映像である右目用映像および左目用映像を交互に表示させ、第１の視線方向とは異なる第２の視線方向に対応付けられた画素群では、右目用映像または左目用映像を表示させる構成であってよい。
【０１２６】
一般に、観賞者の左右の目の視差を利用した視差映像である右目用映像および左目用映像を交互に表示することにより３Ｄ映像表示が実現する。また、その右目用映像および左目用映像の何れかのみを表示すると、従来の２Ｄ映像が実現する。
【０１２７】
したがって、表示制御部１０が、第１の視線方向に対応付けられた画素群では、視差映像である右目用映像および左目用映像を交互に表示させることで立体映像表示を実現し、第１の視線方向とは異なる第２の視線方向に対応付けられた画素群では、右目用映像および左目用映像の何れかのみを表示させることで２Ｄ映像表示を実現することができる。
【０１２８】
それゆえ、上記構成とすることにより、視差映像（２Ｄ映像）を観賞したい人と立体映像（３Ｄ映像）を観賞したい人とが混在するような場合に、複数の観賞者それぞれに対して異なる表示態様の映像を確実に観賞させることができる。
【０１２９】
また、表示装置１（２）では、表示制御部１０は、画素群のうち、右目用映像および左目用映像が交互に表示される画素群である３次元画素群、及び右目用映像または左目用映像が表示される画素群である２次元画素群をそれぞれ決定する画素群決定部１１と、上記右目用映像および上記左目用映像を３次元画素群に表示させ、上記右目用映像または上記左目用映像を２次元画素群に表示させる画素群表示制御部１３と、を備える構成であってよい。
【０１３０】
上記構成によれば、画素群決定部１１は、立体映像が表示される３次元画素群、及び２Ｄ映像が表示される２次元画素群を決定する。これは、例えば第１の視線方向へは３Ｄ映像を表示させ、第１の視線方向とは異なる第２の視線方向へは２Ｄ映像を表示させるという設定にしたがい、画素群決定部１１が、３次元画素群および２次元画素群を決定する。
【０１３１】
そして、画素群表示制御部１３は、右目用映像および左目用映像を３次元画素群に表示させ、右目用映像または左目用映像を２次元画素群に表示させることにより、複数の観賞者は、３Ｄ映像または２Ｄ映像を観賞することが可能となる。
【０１３２】
このようにして、表示制御部１０は、右目用映像および左目用映像からなる３Ｄ映像を観賞したい人と右目用映像または左目用映像からなる２Ｄ映像を観賞したい人とが混在するような場合に、複数の観賞者それぞれに対して異なる表示態様の映像を観賞させることができ、複数の観賞者の要求を同時に満足させることができるという効果を奏する。
【０１３３】
また、表示装置１（２）では、３次元画素群の輝度を、視差バリア１０８を用いることなく右目用映像および左目用映像を表示するときの当該３次元画素群の輝度よりも高くする輝度制御部を備える構成であってよい。
【０１３４】
表示装置１（２）では、表示部６０の複数の画素が３次元画素群と２次元画素群とに分かれ、かつ、３次元画素群および２次元画素群では、それぞれ表示制御された個別の映像が表示されることから、各画素群における光量は、通常の表示状態（視差バリア１０８を用いない表示状態）に比べて低下する。しかも、３Ｄ映像の観賞者は、液晶シャッターメガネ７０を介して３Ｄ映像を観賞するため、液晶シャッターメガネ７０の構造によっては光透過率が低くなり、３Ｄ映像の観賞者が感じる光量はさらに低下する。このことは、液晶シャッターメガネ７０によって分離される視線方向が増えるほど顕著になる。
【０１３５】
しかしながら、表示装置１（２）では、輝度制御部が、３次元画素群の輝度を、視差バリア１０８を用いることなく右目用映像および左目用映像を表示するときの当該３次元画素群の輝度よりも高くする。これにより、３Ｄ映像の観賞者が感じる光量を高めることができ、観賞者が受ける違和感をなくすことができるという効果を奏する。
【０１３６】
また、表示装置１（２）では、輝度制御部２１は、自装置のバックライトの輝度を高くする構成であってよい。
【０１３７】
上記構成によれば、輝度制御部２１は、自装置のバックライトの輝度を高くする。したがって、３次元画素群の輝度を高くすることができるため、３Ｄ映像の観賞者が感じる光量を高めることができ、観賞者が受ける違和感をなくすことができるという効果を奏する。
【０１３８】
また、表示装置１（２）では、２次元画素群における光の透過率を、視差バリア１０８を用いることなく右目用映像または左目用映像を当該２次元画素群に表示するときの光量と略等しくなるように低下させる光透過率制御部２２を備える構成であってよい。
【０１３９】
上述したように輝度制御部が３次元画素群の輝度を高くすることで、２次元画素群の光量が増加するケースも出てくる。たとえば、輝度制御部２１がバックライトの輝度を上げたとき、２次元画素群においても同じバックライトを用いることから、２Ｄ映像の観賞者にとっては光量が増加しすぎることになる。
【０１４０】
しかしながら、表示装置１（２）では、光透過率制御部２２が、２次元画素群における光の透過率を、視差バリア１０８を用いることなく右目用映像または左目用映像を当該２次元画素群に表示するときの光量と略等しくなるように低下させる。したがって、２次元画素群の光量を低くすることができるため、２Ｄ映像の観賞者が感じる光量を下げることができ、観賞者が受ける違和感をなくすことができるという効果を奏する。
【０１４１】
また、表示装置１（２）では、画素群表示制御部１３は、２次元画素群に表示される右目用映像または左目用映像に、当該右目用映像または当該左目用映像よりも輝度の低い低輝度映像を挿入して２次元画素群に表示させる構成であってよい。
【０１４２】
上記構成とすることにより、右目用映像または左目用映像に低輝度映像を挿入した映像が２次元画素群に表示されるため、２次元画素群の輝度を平均的に低くすることができる。したがって、２Ｄ映像の観賞者が感じる光量を低下させることができ、当該観賞者が受ける違和感をなくすことができるという効果を奏する。
【０１４３】
なお、上記では「低輝度映像」と説明しているが、映像そのものである必要はなく、右目用映像または左目用映像よりも輝度の低い状態を作り出すことができるのであれば、構成はいかなる態様で実現されてもよい。
【０１４４】
また、表示装置１（２）では、輝度制御部は、３次元画素群の輝度を高くする構成であってよい。
【０１４５】
上記構成により、輝度制御部は３次元画素群自体の輝度を高くするため、３Ｄ映像の観賞者が感じる光量を高めることができ、観賞者が受ける違和感をなくすことができるという効果を奏する。
【０１４６】
また、表示装置１（２）では、２次元画素群の輝度を、視差バリア１０８を用いることなく右目用映像または左目用映像を当該２次元画素群に表示するときの光量と略等しくなるように低下させる輝度制御部２３を備える構成であってよい。
【０１４７】
上述したように輝度制御部が３次元画素群の輝度を高くすることで、２次元画素群の光量が増加し、２Ｄ映像の観賞者にとっては光量が増加しすぎること場合も出てくる。
【０１４８】
そこで、輝度制御部２３が、２次元画素群の輝度を、視差バリア１０８を用いることなく右目用映像または左目用映像を当該２次元画素群に表示するときの光量と略等しくなるように低下させることにより、２次元画素群の輝度をすることができる。これにより、２Ｄ映像の観賞者が感じる光量を低下させることができ、当該観賞者が受ける違和感をなくすことができるという効果を奏する。
【０１４９】
また、表示装置１（２）では、液晶シャッターメガネ７０が、右目用液晶シャッターおよび左目用液晶シャッターを有するときに、画素群表示制御部１３が３次元画素群に右目用映像を表示させる表示タイミングと、右目用液晶シャッターを開、左目用液晶シャッターを閉とするシャッター開閉タイミングとを同期させ、かつ、画素群表示制御部１３が３次元画素群に左目用映像を表示させる表示タイミングと、右目用液晶シャッターを閉、左目用液晶シャッターを開とするシャッター開閉タイミングとを同期させる同期制御部３０を備える構成であってよい。
【０１５０】
上記構成によれば、同期制御部３０は、画素群表示制御部１３が３次元画素群に右目用映像または左目用映像を表示させる表示タイミングと、液晶シャッターメガネのシャッター開閉タイミングを好適に同期させることが可能である。
【０１５１】
したがって、観賞者は、液晶シャッターメガネ７０を介して、３次元画素群に表示される３Ｄ映像を確実に観賞することができる。
【０１５２】
また、表示装置１（２）では、画素群決定部１１は、操作部８０を介した観賞者による入力操作に基づき、３次元画素群および２次元画素群を決定する構成であってよい。
【０１５３】
複数の観賞者が存在し、視差映像（２Ｄ映像）を観賞したい人と立体映像（３Ｄ映像）を観賞したい人とが混在するような場合に、視差映像および立体映像が表示される視線方向を変更・確認したい場合もありえる。
【０１５４】
このようなとき、画素群決定部１１は、操作部８０を介した観賞者による入力操作に基づき、３次元画素群および２次元画素群を決定する。したがって、立体映像（３Ｄ映像）を観賞したい人に対しては視線方向を表示装置１（２）の右側へ、視差映像（２Ｄ映像）を観賞したい人に対しては視線方向を表示装置１（２）の左側へ変更するといった実施態様を実現することができ、より利便性の高い表示装置を実現することができる。
【０１５５】
また、表示装置１（２）では、視差バリア１０８は、表示部６０に対して着脱可能に設けられている構成であってよい。
【０１５６】
視差バリア１０８が表示部６０に対して着脱可能に設けられていることにより、観賞者は、２Ｄ映像のみを観賞したいとき、または３Ｄ映像のみを観賞したいときに視差バリア１０８を取り外せばよく、迅速かつ確実に観賞者の希望に沿う映像表示態様を実現することができる。
【０１５７】
なお、本発明に係る表示制御方法は、コンピュータによって実現してもよく、この場合には、コンピュータを処理として動作させることにより表示制御方法をコンピュータにて実現させる表示制御プログラム、およびそれを記録したコンピュータ読み取り可能な記録媒体も、本発明の範疇に入る。
【０１５８】
最後に、表示装置１・２の各ブロック、特に、画素群決定部１１、映像信号生成部１２および画素群表示制御部１３は、ハードウェアロジックによって構成してもよいし、次のようにＣＰＵを用いてソフトウェアによって実現してもよい。
【０１５９】
すなわち、表示装置１・２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置１・２の制御プログラムのプログラムコード（実行形式プログラム、中間コードプログラム、ソースプログラム）をコンピュータで読み取り可能に記録した記録媒体を、表示装置１・２に供給し、そのコンピュータ（またはＣＰＵやＭＰＵ）が記録媒体に記録されているプログラムコードを読み出し実行することによっても、達成可能である。
【０１６０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６１】
また、表示装置１・２を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
〔その他〕
本発明に係る表示装置は、表示画面に連動して、左右の目各々における視認可否の切り替えを行う手段が設けられた視覚制御機構を透して表示画面を視聴する視聴者の左右の目の視差を利用した３Ｄ映像表示装置であって、視線分離手段（視差バリア）と、上記視線分離手段によって分離される各視線に向けて表示する画像を個別に制御する手段とを有する構成であってもよい。
【０１６２】
また、本発明に係る表示装置は、上記視線分離手段を用いて３Ｄ映像表示をする場合は、上記視線分離手段を用いることなく３Ｄ映像表示する場合に比べて、３Ｄ映像表示の輝度を上げる手段を有する構成であってもよい。
【０１６３】
また、本発明に係る表示装置は、液晶が設けられている３Ｄ映像表示装置であって、上記輝度を上げる手段が、画像表示用のバックライトの輝度を上げる制御を行う構成であってよい。
【０１６４】
また、本発明に係る表示装置は、画像表示のための自発光素子が設けられている３Ｄ映像表示装置であって、上記輝度を上げる手段が、３Ｄ画像表示用のピクセル自体の輝度を上げる制御を行う構成であってよい。
【０１６５】
また、本発明に係る表示装置は、上記視線分離手段を用いて２Ｄ映像表示をする場合は、上記視線分離手段を用いることなく２Ｄ映像表示する場合と略等しい光量となるように、２Ｄ表示用のピクセルのドットの透過率を低下させる制御を行う構成であってよい。
【０１６６】
また、本発明に係る表示装置は、上記視線分離手段を用いて２Ｄ映像表示をする場合は、上記視線分離手段を用いることなく２Ｄ映像表示する場合と略等しい光量となるように、２Ｄ表示用のピクセルの輝度を上げる制御を行う構成であってよい。
【０１６７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１６８】
また、本発明に係る表示装置は、種々の用途に適用することができ、例えば、家庭等のテレビ、自動車の運転席・助手席に対して異なる映像を表示するカーナビゲーション、携帯電話、ＰＤＡ（Personal Digital Assistants：個人向け携帯型情報通信機器）、ＰＣ、テレビ受信機等の身近な機器に限らず、計測機器、医療機器、産業機器等に適用することができる。
〔その他２〕
ここで、補足的に、上記特許文献１、２の技術的課題を述べておく。
【０１６９】
特許文献１、２の技術では、観賞者によっては、左右の目の視差を利用した３Ｄ映像を観賞することで、いわゆる３Ｄ酔いを引き起こすことがある。あるいは、片方の目に障害を持つ人、３Ｄ観賞用メガネを所有しない人、高価な３Ｄ用メガネを買うことができない人、３Ｄ観賞用メガネをかけるのが煩わしいと感じる人なども少なからず存在する。このような人は、自ずと、３Ｄ映像ではなく２Ｄ映像の観賞を希望するようになる。すると、複数の観賞者が存在する場合、２Ｄ映像を観賞したい人と３Ｄ映像を観賞したい人とが混在するケースが出てくる。
【０１７０】
このとき、従来は、左右の目の視差を利用した３Ｄ映像用の表示装置であって、かつ視差バリアを備えた表示装置は存在しなかったため、特許文献１、２の技術を用いたとしても、２Ｄ映像および３Ｄ映像の何れか一方しか表示装置に表示することができなかった。このため、従来の表示装置では、異なる場所に位置する複数の観賞者それぞれに対して、視差バリアを介して、２Ｄ映像および３Ｄ映像の両方を同時に観賞させることができなかった。したがって、２Ｄ映像を観賞したい人と３Ｄ映像を観賞したい人とが混在するケースにおいて、すべての観賞者の要求を同時に満足させることができないという問題があった。
【０１７１】
本願発明は、上記従来の問題点に鑑みなされたものであって、左右の目の視認可否を切り替える視認切替機構を介して観賞者に立体映像を観賞させる表示装置において、映像分離手段を用いて、複数の観賞者それぞれに対して異なる表示態様の映像を観賞させることが可能な表示装置、表示制御方法、表示制御プログラム、及びコンピュータ読み取り可能な記録媒体を実現することも目的としている。
【産業上の利用可能性】
【０１７２】
本発明は、左右の目の視認可否を切り替える視認切替機構を介して観賞者に立体映像を観賞させる表示装置において、視差バリア等の映像分離手段を用いて、複数の観賞者それぞれに対して異なる表示態様の映像を観賞させることが可能な表示装置に関し、液晶表示装置、またはプラズマ等の自発光型表示装置に好適に適用することができる。
【符号の説明】
【０１７３】
１・２  表示装置
５      制御部
１０    表示制御部（表示制御手段）
１１    画素群決定部（画素群決定手段）
１２    映像信号生成部（映像信号生成手段）
１３    画素群表示制御部（画素群表示制御手段）
２０    光量制御部
２１    輝度制御部（第１輝度制御手段）
２２    光透過率制御部（光透過率制御手段）
２３    輝度制御部（第２輝度制御手段）
３０    同期制御部（同期制御手段）
４０    コンテンツ受信部
５０    命令信号出力部
６０    表示部
７０・７０Ａ・７０Ｂ  液晶シャッターメガネ（視認切替機構）
８０    操作部
９０    記録再生装置
９５    中継器
１００  液晶パネル
１０１  バックライト
１０２・１０３  偏光板
１０４  ＴＦＴ基板
１０５  液晶層
１０６  カラーフィルタ基板
１０７  ガラス基板
１０８  視差バリア（視線方向分離部）
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
観賞者の左右の目の視差を利用した３次元映像と、２次元映像の表示が可能な液晶型の表示装置であって、
自動または観賞者による入力操作によって上記表示装置の表示部の画素のうち、３次元映像用の３次元画素群と２次元映像用の２次元画素群とをそれぞれ決定する画素決定手段と、
上記３次元画素群および２次元画素群をそれぞれ表示制御する画素群表示制御手段と、
パララックス方式またはレンティキュラ方式の視差バリアと、
を備え、
２次元映像および３次元映像を表示する際に、バックライト輝度を高くするとともに、２次元画素群の光透過率を下げる光量制御手段を有することを特徴とする表示装置。